(57)【要約】【課題】直交周波数分割多重（ＯＦＤＭ）方式を使用する移動通信システムにおける制御チャネルのリソースを割り当てる方法を提供する。【解決手段】上記方法は、使用可能な複数のリソースエレメント（ＲＥ）の時間インデックス及び周波数インデックスをそれぞれｌ及びｋとして定義する際に、（ｋ，ｌ）の２次元構成で上記使用可能な複数のリソースエレメントを区分するステップと、各周波数インデックスｋに対して上記時間インデックスｌを初期値から所定の範囲まで増加させつつ複数のリソースエレメントグループに各リソースエレメントを時間優先で割り当てるステップとを含む。【選択図】図２
2014078986.tif 000002
【特許請求の範囲】
【請求項１】
直交周波数分割多重（ＯＦＤＭ）方式を使用する移動通信システムにおけるダウンリンク制御チャネルを送信する方法であって、
制御信号のシンボルをリソースエレメント（ＲＥ）グループにマッピングするステップと、
前記マッピングされたシンボルを前記ダウンリンク制御チャネルを介して送信するステップと、を含み
一つのＲＥグループは、複数のＲＥを含み、
前記ＲＥグループは、時間軸及び周波数軸を有し、
前記ＲＥグループに含まれた前記複数のＲＥの個数は、ＯＦＤＭシンボルのインデックスに依存し、
前記制御信号のシンボルを前記ＲＥグループにマッピングする間に、前記周波数軸の周波数インデックスが所定の値から次の値に増加される前に前記所定の値で維持される間、前記時間軸の時間インデックスは、初期値から予め定められた値まで増加されることを特徴とする方法。
【請求項２】
使用可能なＲＥと関連した情報を送信するステップをさらに含むことを特徴とする請求項１に記載の方法。
【請求項３】
前記予め定められた値は、前記ダウンリンク制御チャネルの送信のために使用されるＯＦＤＭシンボルの個数であることを特徴とする請求項１に記載の方法。
【請求項４】
前記ダウンリンク制御チャネルは、パケット専用制御チャネル（ＰＤＣＣＨ）であり、前記ＲＥグループは、物理チャネルフォーマット指示チャネル（ＰＣＦＩＣＨ）または物理ハイブリッド自動再送要求（Ｈ−ＡＲＱ）指示チャネル（ＰＨＩＣＨ）に割り当てられないことを特徴とする請求項１に記載の方法。
【請求項５】
同一のＲＥグループ内の複数のＲＥのための時間インデックスは、相互に同一であることを特徴とする請求項１に記載の方法。
【請求項６】
前記ＲＥグループ内のＲＥの個数は、セル特定基準信号の個数に依存することを特徴とする請求項１に記載の方法。
【請求項７】
サブフレームの一番目のスロットの一番目のＯＦＤＭシンボル内のＲＥグループは、６個のＲＥを含むことを特徴とする請求項６に記載の方法。
【請求項８】
一つまたは二つのセル特定基準信号が構成される場合、サブフレームの一番目のスロットの二番目のシンボル内のＲＥグループは、４個のＲＥを含むことを特徴とする請求項６に記載の方法。
【請求項９】
４個のセル特定基準信号が構成される場合、サブフレームの一番目のスロットの二番目のシンボル内のＲＥグループは、６個のＲＥを含むことを特徴とする請求項６に記載の方法。
【請求項１０】
サブフレームの一番目のスロットの三番目のシンボル内のＲＥグループは、４個のＲＥを含むことを特徴とする請求項６に記載の方法。
【請求項１１】
サブフレームの一番目のスロットの一番目のシンボル内のＲＥグループは、セル特定基準信号の送信のための２個のＲＥと前記制御信号の送信のための４個のＲＥを含むことを特徴とする請求項１に記載の方法。
【請求項１２】
４個のセル特定基準信号が構成される場合、サブフレームの一番目のスロットの二番目のＯＦＤＭシンボル内のＲＥグループは、セル特定基準信号の送信のための２個のＲＥと前記制御信号の送信のための４個のＲＥを含むことを特徴とする請求項１に記載の方法。
【請求項１３】
前記予め定められた値に関する情報は、物理チャネルフォーマット指示チャネル（ＰＣＦＩＣＨ）を介して送信されることを特徴とする請求項１に記載の方法。
【請求項１４】
直交周波数分割多重（ＯＦＤＭ）方式を使用する移動通信システムにおけるダウンリンク制御チャネルを送信する装置であって、
制御信号のシンボルをリソースエレメント（ＲＥ）グループにマッピングし、前記マッピングされたシンボルを前記ダウンリンク制御チャネルを介して送信するための制御動作を遂行する制御器と、
前記制御信号のシンボルを前記ＲＥグループにマッピングするマッピング器と、
前記マッピングされたシンボルを前記ダウンリンク制御チャネルを介して送信する送信器を、含み、
一つのＲＥグループは、複数のＲＥを含み、
前記ＲＥグループは、時間軸及び周波数軸を有し、
前記ＲＥグループに含まれた前記複数のＲＥの個数は、ＯＦＤＭシンボルのインデックスに依存し、
前記制御信号のシンボルを前記ＲＥグループにマッピングする間に、前記周波数軸の周波数インデックスが所定の値から次の値に増加される前に前記所定の値で維持される間、前記時間軸の時間インデックスは、初期値から予め定められた値まで増加されることを特徴とする装置。
【請求項１５】
前記送信器は、使用可能なＲＥと関連した情報を送信することを特徴とする請求項１４に記載の装置。
【請求項１６】
前記予め定められた値は、前記ダウンリンク制御チャネルの送信のために使用されるＯＦＤＭシンボルの個数であることを特徴とする請求項１４に記載の装置。
【請求項１７】
前記ダウンリンク制御チャネルは、パケット専用制御チャネル（ＰＤＣＣＨ）であり、前記ＲＥグループは、物理チャネルフォーマット指示チャネル（ＰＣＦＩＣＨ）または物理ハイブリッド自動再送要求（Ｈ−ＡＲＱ）指示チャネル（ＰＨＩＣＨ）に割り当てられないことを特徴とする請求項１４に記載の装置。
【請求項１８】
同一のＲＥグループ内の複数のＲＥのための時間インデックスは相互に同一であることを特徴とする請求項１４に記載の装置。
【請求項１９】
前記ＲＥグループ内のＲＥの個数は、セル特定基準信号の個数に依存することを特徴とする請求項１４に記載の装置。
【請求項２０】
サブフレームの一番目のスロットの一番目のＯＦＤＭシンボル内のＲＥグループは、６個のＲＥを含むことを特徴とする請求項１９に記載の装置。
【請求項２１】
一つまたは二つのセル特定基準信号が構成される場合、サブフレームの一番目のスロットの二番目のシンボル内のＲＥグループは、４個のＲＥを含むことを特徴とする請求項１９に記載の装置。
【請求項２２】
４個のセル特定基準信号が構成される場合、サブフレームの一番目のスロットの二番目のシンボル内のＲＥグループは、６個のＲＥを含むことを特徴とする請求項１９に記載の装置。
【請求項２３】
サブフレームの一番目のスロットの三番目のシンボル内のＲＥグループは、４個のＲＥを含むことを特徴とする請求項１９に記載の装置。
【請求項２４】
サブフレームの一番目のスロットの一番目のシンボル内のＲＥグループは、セル特定基準信号の送信のための２個のＲＥと前記制御信号の送信のための４個のＲＥを含むことを特徴とする請求項１４に記載の装置。
【請求項２５】
４個のセル特定基準信号が構成される場合、サブフレームの一番目のスロットの二番目のＯＦＤＭシンボル内のＲＥグループは、セル特定基準信号の送信のための２個のＲＥと前記制御信号の送信のための４個のＲＥを含むことを特徴とする請求項１４に記載の装置。
【請求項２６】
前記予め定められた値に関する情報は、物理チャネルフォーマット指示チャネル（ＰＣＦＩＣＨ）を介して送信されることを特徴とする請求項１４に記載の装置。
【請求項２７】
直交周波数分割多重（ＯＦＤＭ）方式を使用する移動通信システムにおけるダウンリンク制御チャネルを受信する方法であって、
ダウンリンク制御チャネルを受信するステップと、
前記受信されたダウンリンク制御チャネルからリソースエレメント（ＲＥ）グループにマッピングされた制御信号のシンボルを獲得するステップと、を含み
一つのＲＥグループは、複数のＲＥを含み、
前記ＲＥグループは、時間軸及び周波数軸を有し、
前記ＲＥグループに含まれた前記複数のＲＥの個数は、ＯＦＤＭシンボルのインデックスに依存し、
前記制御信号のシンボルが前記ＲＥグループにマッピングされる間に、前記周波数軸の周波数インデックスが所定の値から次の値に増加される前に前記所定の値で維持される間、前記時間軸の時間インデックスは、初期値から予め定められた値まで増加されることを特徴とする方法。
【請求項２８】
使用可能なＲＥと関連した情報を受信するステップをさらに含むことを特徴とする請求項２７に記載の方法。
【請求項２９】
前記予め定められた値は、前記ダウンリンク制御チャネルの送信のために使用されるＯＦＤＭシンボルの個数であることを特徴とする請求項２７に記載の方法。
【請求項３０】
前記ダウンリンク制御チャネルは、パケット専用制御チャネル（ＰＤＣＣＨ）であり、前記ＲＥグループは、物理チャネルフォーマット指示チャネル（ＰＣＦＩＣＨ）または物理ハイブリッド自動再送要求（Ｈ−ＡＲＱ）指示チャネル（ＰＨＩＣＨ）に割り当てられないことを特徴とする請求項２７に記載の方法。
【請求項３１】
同一のＲＥグループ内の複数のＲＥのための時間インデックスは相互に同一であることを特徴とする請求項２７に記載の方法。
【請求項３２】
前記ＲＥグループ内のＲＥの個数は、セル特定基準信号の個数に依存することを特徴とする請求項２７に記載の方法。
【請求項３３】
サブフレームの一番目のスロットの一番目のＯＦＤＭシンボル内のＲＥグループは、６個のＲＥを含むことを特徴とする請求項３２に記載の方法。
【請求項３４】
一つまたは二つのセル特定基準信号が構成される場合、サブフレームの一番目のスロットの二番目のシンボル内のＲＥグループは、４個のＲＥを含むことを特徴とする請求項３２に記載の方法。
【請求項３５】
４個のセル特定基準信号が構成される場合、サブフレームの一番目のスロットの二番目のシンボル内のＲＥグループは、６個のＲＥを含むことを特徴とする請求項３２に記載の方法。
【請求項３６】
サブフレームの一番目のスロットの三番目のシンボル内のＲＥグループは、４個のＲＥを含むことを特徴とする請求項３２に記載の方法。
【請求項３７】
サブフレームの一番目のスロットの一番目のシンボル内のＲＥグループは、セル特定基準信号の送信のための２個のＲＥと前記制御信号の送信のための４個のＲＥを含むことを特徴とする請求項２７に記載の方法。
【請求項３８】
４個のセル特定基準信号が構成される場合、サブフレームの一番目のスロットの二番目のＯＦＤＭシンボル内のＲＥグループは、セル特定基準信号の送信のための２個のＲＥと前記制御信号の送信のための４個のＲＥを含むことを特徴とする請求項２７に記載の方法。
【請求項３９】
前記予め定められた値に関する情報は、物理チャネルフォーマット指示チャネル（ＰＣＦＩＣＨ）を介して送信されることを特徴とする請求項２７に記載の方法。
【請求項４０】
直交周波数分割多重（ＯＦＤＭ）方式を使用する移動通信システムにおけるダウンリンク制御チャネルを受信する装置であって、
ダウンリンク制御チャネルを受信する受信器と、
前記受信されたダウンリンク制御チャネルがリソースエレメント（ＲＥ）グループを含むことを確認し、前記受信されたダウンリンク制御チャネルから前記リソースエレメント（ＲＥ）グループにマッピングされた制御信号のシンボルを獲得するための制御動作を遂行する制御器と、を含み、
一つのＲＥグループは、複数のＲＥを含み、
前記ＲＥグループは、時間軸及び周波数軸を有し、
前記ＲＥグループに含まれた前記複数のＲＥの個数は、ＯＦＤＭシンボルのインデックスに依存し、
前記制御信号のシンボルが前記ＲＥグループにマッピングされる間に、前記周波数軸の周波数インデックスが所定の値から次の値に増加される前に前記所定の値で維持される間、前記時間軸の時間インデックスは、初期値から予め定められた値まで増加されることを特徴とする装置。
【請求項４１】
前記受信器は、使用可能なＲＥと関連した情報を受信することを特徴とする請求項４０に記載の装置。
【請求項４２】
前記予め定められた値は、前記ダウンリンク制御チャネルの送信のために使用されるＯＦＤＭシンボルの個数であることを特徴とする請求項４０に記載の装置。
【請求項４３】
前記ダウンリンク制御チャネルは、パケット専用制御チャネル（ＰＤＣＣＨ）であり、前記ＲＥグループは、物理チャネルフォーマット指示チャネル（ＰＣＦＩＣＨ）または物理ハイブリッド自動再送要求（Ｈ−ＡＲＱ）指示チャネル（ＰＨＩＣＨ）に割り当てられないことを特徴とする請求項４０に記載の装置。
【請求項４４】
同一のＲＥグループ内の複数のＲＥのための時間インデックスは、相互に同一であることを特徴とする請求項４０に記載の装置。
【請求項４５】
前記ＲＥグループ内のＲＥの個数は、セル特定基準信号の個数に依存することを特徴とする請求項４０に記載の装置。
【請求項４６】
サブフレームの一番目のスロットの一番目のＯＦＤＭシンボル内のＲＥグループは、６個のＲＥを含むことを特徴とする請求項４５に記載の装置。
【請求項４７】
一つまたは二つのセル特定基準信号が構成される場合、サブフレームの一番目のスロットの二番目のシンボル内のＲＥグループは、４個のＲＥを含むことを特徴とする請求項４５に記載の装置。
【請求項４８】
４個のセル特定基準信号が構成される場合、サブフレームの一番目のスロットの二番目のシンボル内のＲＥグループは、６個のＲＥを含むことを特徴とする請求項４５に記載の装置。
【請求項４９】
サブフレームの一番目のスロットの三番目のシンボル内のＲＥグループは、４個のＲＥを含むことを特徴とする請求項４５に記載の装置。
【請求項５０】
サブフレームの一番目のスロットの一番目のシンボル内のＲＥグループは、セル特定基準信号の送信のための２個のＲＥと前記制御信号の送信のための４個のＲＥを含むことを特徴とする請求項４０に記載の装置。
【請求項５１】
４個のセル特定基準信号が構成される場合、サブフレームの一番目のスロットの二番目のＯＦＤＭシンボル内のＲＥグループは、セル特定基準信号の送信のための２個のＲＥと前記制御信号の送信のための４個のＲＥを含むことを特徴とする請求項４０に記載の装置。
【請求項５２】
前記予め定められた値に関する情報は、物理チャネルフォーマット指示チャネル（ＰＣＦＩＣＨ）を介して送信されることを特徴とする請求項４０に記載の装置。
【発明の詳細な説明】
【技術分野】
【０００１】
本発明は、直交周波数分割多重方式を使用する通信システムにおける物理チャネルのリソース割り当て方法及び装置に関し、特に、ダウンリンク制御チャネルのリソース割り当て方法及び装置に関する。
【背景技術】
【０００２】
最近、移動通信システムにおいて、有線／無線チャンネルで高速のデータ送信に有用な方式として直交周波数分割多重（Orthogonal Frequency Division Multiplexing：以下、“ＯＦＤＭ”と称する。）方式について活発な研究が行われている。ＯＦＤＭ方式は、マルチキャリアを用いてデータを送信する方式として、直列入力シンボルストリームを並列シンボルストリームに変換し、並列シンボルの各々を相互直交性を有する複数の周波数トーン、すなわち、複数のサブキャリアチャネルに変調して送信するマルチキャリア変調（multi-carrier modulation：以下、“ＭＣＭ”と称する。）方式の一種である。
【０００３】
このようなＭＣＭ基盤のＯＦＤＭシステムは、１９５０年代後半、軍用の高周波数（High Frequency：ＨＦ）無線通信に最初に適用された。複数の直交するサブキャリアをオーバーラップさせるＯＦＤＭ方式は、１９７０年代から発展し始めたが、複数のキャリヤ間の直交変調の実現が困難な問題であったため、実際のシステムへのＯＦＤＭの適用には限界があった。しかしながら、１９７１年代、Ｗｅｉｎｓｔｅｉｎなどは、ＯＦＤＭ基盤の変／復調が離散フーリエ変換（Discrete Fourier Transform：以下、“ＤＦＴ”と称する。）を使用して効率的に処理することができることを発表した。これにより、ＯＦＤＭ方式についての技術の開発が急速に発展してきた。また、ＯＦＤＭは、保護区間を使用し、サイクリックプレフィックス（ＣＰ）を保護区間に挿入する方式が知られているため、ＯＦＤＭシステムは、システムの多重経路及び遅延拡散に関する否定的な影響を著しく減少させた。
【０００４】
このような技術の発展により、ＯＦＤＭ技術は、デジタルオーディオブロードキャスト（Digital Audio Broadcasting：ＤＡＢ）、デジタルビデオブロードキャスト（ＤＶＢ）、無線近距離通信網（Wireless Local Area Network：ＷＬＡＮ）、及び無線非同期転送モード（Wireless Asynchronous Transfer Mode：ＷＡＴＭ）などのようなデジタル送信技術に広範囲に適用されている。すなわち、ハードウェア的な複雑度（Complexity）により幅広く使用されていなかったが、最近では、高速フーリエ変換（Fast Fourier Transform：以下、“ＦＦＴ”と称する。）及び逆高速フーリエ変換（Inverse Fast Fourier Transform：以下、“ＩＦＦＴ”と称する。）を含む様々なデジタル信号処理技術の進歩によりＯＦＤＭ方式の実現が可能となっている。
【０００５】
ＯＦＤＭ方式は、従来の周波数分割多重（Frequency Division Multiplexing：ＦＤＭ）方式と類似しているが、複数のトーン間の直交性を保持することにより高速データ送信の間に最適の送信効率を得ることができる。また、周波数使用効率が良く、多重経路フェージングに強い特性を有するＯＦＤＭ方式は、高速のデータ送信の間に最適の送信効率を得ることができるという特徴を有する。ＯＦＤＭは、幾つかの他の長所を提供する。ＯＦＤＭ方式は、周波数スペクトルをオーバーラップさせるために、高い周波数効率を有し、周波数選択性フェージング及びインパルス性雑音に強いために、保護区間を用いてシンボル間干渉（Inter Symbol interference：ＩＳＩ）の影響を減少させることができ、ハードウェア等化器の構成を簡素に設計することができる。したがって、ＯＦＤＭが通信システムの構成に積極的に活用されている趨勢にある。
【０００６】
無線通信において、高速及び高品質のデータサービスは、主にチャネル環境による。このチャネル環境は、加法性白色ガウス雑音（Additive White Gaussian Noise：ＡＷＧＮ）だけでなくフェージング現象による受信信号の電力変化、シャドーイング、端末機の移動及び頻繁な速度変化によるドップラー効果、他のユーザ及び多重経路信号からの干渉によっても頻繁に変わる。したがって、無線通信において、高速、高品質のデータサービスをサポートするためには、上述した阻害要因を効率的に克服する必要がある。
【０００７】
ＯＦＤＭ方式において、変調信号は、割り当てられた時間及び周波数で構成された２次元リソースを介して送信される。時間軸上のリソースは、相互に異なるＯＦＤＭシンボルに区別され、このＯＦＤＭシンボルは、相互に直交する。一方、周波数軸上のリソースは、相互に異なるトーンに区別され、これらトーンも相互に直交する。すなわち、ＯＦＤＭ方式では、時間軸上の特定のＯＦＤＭシンボル及び周波数軸上の特定のトーンを指定することにより１つの最小単位リソースを示すことができ、これをリソースエレメント（Resource Element：以下、“ＲＥ”と称する。）と呼ぶ。相互に異なるＲＥは、選択性チャネルを経験するとしても、相互に直交する特性を有しており、相互に異なるＲＥを介して送信された信号は、相互の干渉なしに受信されることができる。
【０００８】
物理チャネルは、少なくとも１つの符号化されたビット列を変調することにより得られた変調シンボルを送信する物理レイヤーのチャネルである。直交周波数分割多重接続（Orthogonal Frequency Division Multiple Access：以下、“ＯＦＤＭＡ”と称する。）システムは、送信情報列の用途又は受信器に従って複数の物理チャネルを構成し送信する。１つの物理チャネルをどのＲＥに配置して送信するかを送信器及び受信器が予め約束しなければならず、このような規則を“マッピング”と呼ぶ。
【０００９】
マッピング規則は、特定の物理チャネルの適用特性に従って変わりうる。送信器が受信チャネルの状態を認識している状態でシステムの送信効率を増加させるためにスケジューラを使用して物理チャネルをマッピングする場合には、類似しているチャネル状態を有するＲＥの集合に１つの物理チャネルを配置し、送信器が受信チャネルの状態を認識することができない状態で受信エラー率を低減させるための目的で物理チャネルをマッピングする場合には、非常に異なるチャネル状態を有するものと予測されるＲＥの集合に１つの物理チャネルを配置することが好ましい。前者の方式は、主に遅延時間に敏感でない１つのユーザのためのデータを送信する場合に適合し、後者の方式は、主に遅延時間に敏感な１つのユーザのためのデータ又は制御情報、又は複数のユーザにデータや制御情報を送信する場合に適している。後者の方式は、ダイバーシティ利得を得るために相互に異なるチャネル状態を有するリソースを使用し、１つのＯＦＤＭシンボル内では、周波数ダイバーシティ利得は、周波数軸上で最大に離れているサブキャリアに物理チャネルをマッピングすることにより得られることができる。
【００１０】
最近、第３世代パートナーシッププロジェクト（3rd Generation Partnership Project：３ＧＰＰ）において、ロングタームエボリューション（Long Term Evolution：ＬＴＥ）システムという名前で基地局（Ｎｏｄｅ Ｂ）と端末機（ＵＥ）（移動局（ＭＳ）とも呼ばれる。）間の無線リンク標準化作業が進められている。ＬＴＥシステムは、ＯＦＤＭＡ及び単一キャリア周波数分割多重接続（ＳＣ−ＦＤＭＡ）をそれぞれダウンリンク及びアップリンクの多重化方式として採択することがもっとも大きい特徴である。本発明は、ＬＴＥダウンリンクの制御チャネルをＲＥにマッピングする方法を提案する。
【００１１】
図１は、一般的なＬＴＥシステムでのサブフレームの構成を示す図である。
【００１２】
１つのリソースブロック（ＲＢ）は、周波数軸での１２個のトーンと時間軸での１４個のＯＦＤＭシンボルとから構成される。ＲＢ＃１ １１１は、１番目のＲＢを示し、図１は、ＲＢ＃１ １１１からＲＢ＃Ｋ １１３まで総計Ｋ個のＲＢで構成された帯域幅を示す。時間軸において、１４個のＯＦＤＭシンボルは、１つのサブフレーム１１７を構成し、時間軸でリソース割り当ての基本単位となる。１つのサブフレーム１１７は、例えば、１ｍｓの長さを有し、２つのスロット１１５で構成される。
【００１３】
端末機がチャネル推定を行うことができるように基地局と約束された基準信号（ＲＳ）が送信され、ＲＳ０ １００、ＲＳ１ １０１、ＲＳ２ １０２、及びＲＳ３ １０３は、それぞれアンテナポート＃１、＃２、＃３、及び＃４から送信される。１つの送信アンテナポートが使用される場合に、ＲＳ１ １０１は、送信に使用されず、ＲＳ２ １０２及びＲＳ３ １０３は、データ又は制御信号シンボルの送信のために使用される。２つの送信アンテナポートが定義される場合に、ＲＳ２ １０２及びＲＳ３ １０３は、データ又は制御信号シンボルの送信のために使用される。
【００１４】
周波数軸上でＲＳが配置されるＲＥの絶対的な位置がセル別に異なって設定されるが、ＲＳ間の相対的な間隔は一定に保持される。すなわち、同一のアンテナポートのＲＳは、６個のＲＥ間隔を保持し、３個のＲＥ間隔は、ＲＳ０ １００とＲＳ１ １０１間、及びＲＳ２ １０２とＲＳ３ １０３間で保持される。ＲＳの絶対的な位置がセル別に異なって設定される理由は、ＲＳのセル間の衝突を避けるためである。
【００１５】
一方、制御チャネルは、時間軸上で１つのサブフレームの先頭に配置される。図１において、参照符号１１９は、制御チャネルが配置されることができる領域を示す。制御チャネルは、サブフレームの先頭Ｌ個のＯＦＤＭシンボルにわたって送信されることができる。ここで、Ｌは、１、２、及び３である。送信されるデータの量が少ないため、制御チャネルが１つのＯＦＤＭシンボルで十分に送信されることができる場合には、先頭１つのＯＦＤＭシンボルだけが制御チャネル送信のために使用され（Ｌ＝１）、残りの１３個のＯＦＤＭシンボルは、データチャネル送信のために使用される。制御チャネルが２個のＯＦＤＭシンボルを使用する場合に、先頭２個のＯＦＤＭシンボルだけが制御チャネル送信のために使用され（Ｌ＝２）、残りの１２個のＯＦＤＭシンボルは、データチャネル送信のために使用される。送信されるデータの量が多いために、制御信号が３個のＯＦＤＭシンボルのすべてを使用する場合には、先頭３個のＯＦＤＭシンボルは、制御チャネル送信のために使用され（Ｌ＝３）、残りの１１個のＯＦＤＭシンボルは、データチャネル送信のために使用される。
【００１６】
この制御チャネルをサブフレームの先頭に配置する理由は、まず、端末機がこの制御チャネルを受信し、端末機自身に送信されるデータチャネルの存在を認識することによりデータチャネル受信動作を実行するか否かを判定するようにするためである。したがって、端末機自身に送信されたデータチャネルが存在しない場合には、端末機は、データチャネル受信を行う必要がなく、データチャネル受信動作で消費される電力を節約することができる。
【００１７】
ＬＴＥシステムで定義するダウンリンク制御チャネルは、物理チャネルフォーマット指示チャネル（ＰＣＦＩＣＨ）、物理ハイブリッド自動再送要求（Ｈ−ＡＲＱ）指示チャネル（ＰＨＩＣＨ）、及びパケット専用制御チャネル（ＰＤＣＣＨ）などを含む。ＰＣＦＩＣＨは、制御チャネルフォーマット指示子（ＣＣＦＩ）情報を送信するための物理チャネルである。ＣＣＦＩは、この制御チャネルが配置されることができる領域Ｌを示すために２ビットで構成された情報である。端末機が優先してＣＣＦＩを受信するまで制御チャネルを受信することができないため、ＰＣＦＩＣＨは、固定的に（持続的に）ダウンリンクリソースが割り当てられる場合を除いたすべての端末機がサブフレームで最初に受信すべきチャネルである。さらに、ＵＥがＰＣＦＩＣＨを受信する前に領域Ｌを知らないために、ＰＣＦＩＣＨは、１番目のＯＦＤＭシンボルで送信されなければならない。ＰＨＩＣＨは、ダウンリンクＡＣＫ／ＮＡＣＫ信号を送信するための物理チャネルである。ＰＨＩＣＨを受信する端末機は、アップリンクを介してデータ送信を行っている端末機である。したがって、ＰＨＩＣＨの個数は、アップリンクでデータ送信を行っている端末機の個数に比例する。ＰＨＩＣＨは、１番目のＯＦＤＭシンボルで送信されるか（ＬＰＨＩＣＨ＝１）又は３個のＯＦＤＭシンボルにわたって送信される（ＬＰＨＩＣＨ＝３）。ＬＰＨＩＣＨは、セルごとに定義されたパラメータであり、セルのサイズが大きい場合には、１つのＯＦＤＭシンボルだけでＰＨＩＣＨを送信するのが難しいために、パラメータＬＰＨＩＣＨは、これを調整するために導入される。ＰＤＣＣＨは、データチャネル割り当て情報又は電力制御情報を送信するための物理チャネルである。
【００１８】
ＰＤＣＣＨは、これを受信する端末機のチャネル状態に従ってチャネル符号化率を異なって設定することができる。ＰＤＣＣＨが変調方式として直交位相シフトキーイング（ＱＰＳＫ）を固定的に使用するので、チャネル符号化率を変更するためには、１つのＰＤＣＣＨが使用するリソースの量を変更しなければならない。チャネル状態が良好な端末機には、高いチャネル符号化率を適用することにより、使用されるリソースの量を減少させるようにする。しかしながら、チャネル状態が不良な端末機には、使用されるリソースの量を増加させても低いチャネル符号化率を適用し、これにより、正常な受信を可能にする。個別のＰＤＣＣＨが消費するリソースの量は、制御チャネルエレメント（Control Channel Element：以下、“ＣＣＥ”と称する。）の単位で決定される。チャネル状態が良好な端末機のために、最小１つのＣＣＥだけでＰＤＣＣＨを構成し、チャネル状態が不良な端末機のために最大８個のＣＣＥを用いてＰＤＣＣＨを構成する。１つのＰＤＣＣＨを構成するために使用されたＣＣＥの個数は、１、２、４、及び８の中の１つである。１つのＣＣＥは、ＮＣＣＥ個のミニ制御チャネルエレメント（以下、“ｍｉｎｉ−ＣＣＥ”と称する。）の集合で構成される。ｍｉｎｉ−ＣＣＥは、周波数軸上でＲＳのために使用されたＲＥを除いた４個の連続したＲＥの集合である。ＮＣＣＥ＝９である場合に、１つのＰＤＣＣＨを構成するために使用されたＲＥの個数は、３６、７２、１４４、及び２８８の中の１つである。
【００１９】
ｍｉｎｉ−ＣＣＥは、ＰＣＦＩＣＨ及びＰＨＩＣＨを構成するリソースの基本単位である。ＰＣＦＩＣＨ及びＰＨＩＣＨは、一定の量のリソースを使用し、ＰＤＣＣＨとの多重化及び送信ダイバーシティの適用を容易にするために、リソースの量は、ｍｉｎｉ−ＣＣＥの集合として決定される。１つのＰＣＦＩＣＨは、ＮＰＣＦＩＣＨ個のｍｉｎｉ−ＣＣＥを使用して構成され、１つのＰＨＩＣＨは、ＮＰＨＩＣＨ個のｍｉｎｉ−ＣＣＥを使用して構成される。ＮＰＣＦＩＣＨ＝４であり、ＮＰＨＩＣＨ＝３である場合に、ＰＣＦＩＣＨは、１６個のＲＥを使用し、ＰＨＩＣＨは、１２個のＲＥを使用する。
【００２０】
ＰＨＩＣＨは、幾つかのＡＣＫ／ＮＡＣＫ信号を多重化するために符号分割多重化（Code Domain Multiplexing：ＣＤＭ）技術を適用する。１つのｍｉｎｉ−ＣＣＥには、４個のＰＨＩＣＨがＣＤＭで多重化され、周波数ダイバーシティ利得を得るためにＮＰＨＩＣＨ個の数だけ周波数軸上で最大に離れるように反復して送信される。したがって、ＮＰＨＩＣＨ個のｍｉｎｉ−ＣＣＥを使用すると、４個又はそれ以下のＰＨＩＣＨを構成することができる。４個以上のＰＨＩＣＨを構成するためには、他のＮＰＨＩＣＨ個のｍｉｎｉ−ＣＣＥを使用しなければならない。必要なＰＨＩＣＨの個数がＭである場合に、ｃｅｉｌ（Ｍ／４）×ＮＰＨＩＣＨ個のｍｉｎｉ−ＣＣＥ、すなわち、４×ｃｅｉｌ（Ｍ／４）×ＮＰＨＩＣＨ個のＲＥを使用する。ここで、ｃｅｉｌ（ｘ）は、ｘより大きいか又は同一の最小整数を計算するために使用されるシーリング関数である。
【００２１】
上述したように、ＬＴＥシステムを参照して説明したＯＦＤＭ方式を使用する移動通信システムにおいて、ダウンリンク制御チャネルを送信するための従来のリソース割り当て方式は、次の通りである。すなわち、１番目のＯＦＤＭシンボル期間の全体周波数帯域で制御チャネルの送信のためのＲＥ集合の割り当てが完了すると、制御チャネルの送信のためのＲＥ集合の割り当ては、２番目のＯＦＤＭシンボル期間の全周波数帯域で実行される。このような方法で、従来のリソース割り当て方式では、制御チャネルの送信のために使用される各ＯＦＤＭシンボル期間でＲＥ集合に対するリソース割り当てが周波数優先方式で実行される。
【発明の概要】
【発明が解決しようとする課題】
【００２２】
したがって、本発明は、上述した従来技術の問題点を解決するために提案されたものであり、その目的は、ＯＦＤＭ方式を使用する移動通信システムにおけるダウンリンク制御チャネルのリソース割り当てを時間優先方式で実行する方法及び装置を提供することにある。
【００２３】
本発明の他の目的は、ＯＦＤＭ方式を使用する移動通信システムにおけるダイバーシティ利得を向上させる制御チャネルのリソース割り当て方法及び装置を提供することにある。
【００２４】
本発明のまた他の目的は、ＬＴＥシステムのダウンリンクでパケット専用制御チャネル（ＰＤＣＣＨ）のリソース割り当てを時間優先方式で実行する方法及び装置を提供することにある。
【課題を解決するための手段】
【００２５】
上記のような目的を達成するために、本発明の実施形態の一態様によれば、直交周波数分割多重（ＯＦＤＭ）方式を使用する移動通信システムにおける制御チャネルのリソースを割り当てる方法を提供する。上記方法は、使用可能な複数のリソースエレメント（ＲＥ）の時間インデックス及び周波数インデックスをそれぞれｌ及びｋとして定義する際に、（ｋ，ｌ）の２次元構成で上記使用可能な複数のリソースエレメントを区分するステップと、各周波数インデックスｋに対して上記時間インデックスｌを初期値から所定の範囲まで増加させつつ複数のリソースエレメントグループに各リソースエレメントを時間優先で割り当てるステップとを含むことを特徴とする。
【００２６】
本発明の実施形態の他の態様によれば、直交周波数分割多重（ＯＦＤＭ）方式を使用する移動通信システムにおける基地局で制御チャネルのリソースを割り当てる装置を提供する。上記装置は、上記制御チャネルの送信のために使用可能な複数のリソースエレメント（ＲＥ）をマッピングするマッピング器と、上記使用可能な複数のリソースエレメントの時間インデックス及び周波数インデックスをそれぞれｌ及びｋとして定義する際に、（ｋ，ｌ）の２次元構成で上記使用可能な複数のリソースエレメントを区分し、各周波数インデックスｋに対して上記時間インデックスｌを初期値から所定の範囲まで増加させつつ複数のリソースエレメントグループに各リソースエレメントを時間優先で割り当てるように上記マッピング器を制御する制御器とを含むことを特徴とする。
【００２７】
本発明の実施形態のさらに他の態様によれば、直交周波数分割多重（ＯＦＤＭ）方式を使用する移動通信システムにおける端末機で制御チャネルを受信する装置を含む。上記装置は、無線チャネルから上記制御チャネルを受信する受信器と、上記受信された制御チャネルからリソースエレメントをデマッピングするデマッピング器と、上記使用可能な複数のリソースエレメント（ＲＥ）の時間インデックス及び周波数インデックスをそれぞれｌ及びｋとして定義する際に、（ｋ，ｌ）の２次元構成で上記使用可能な複数のリソースエレメントを区分し、各周波数インデックスｋに対して上記時間インデックスｌを初期値から所定の範囲まで増加させつつ、各リソースエレメントを複数のリソースエレメントグループに時間優先で割り当てるマッピング規則に従って送信された上記制御チャネルをデマッピングするように上記デマッピング器を制御する制御器とを含むことを特徴とする。
【発明の効果】
【００２８】
本発明によれば、ＯＦＤＭ基盤の移動通信システムは、時間優先方式で制御チャネルのリソース割り当てを実行することによりダイバーシティ利得を向上させることができる。
【００２９】
本発明において、制御チャネルのリソースマッピングは、２次元領域に存在するリソースエレメントのグループ、すなわち、ｍｉｎｉ−ＣＣＥリソースを時間優先方式でｍｉｎｉ−ＣＣＥインデキシング規則を用いて割り当て、物理チャネルのリソースマッピング規則に従って個別制御チャネルのリソースを選択する過程により実行される。物理チャネルのリソースマッピング過程は、可能であれば、インデックスギャップが大きい物理リソースを選択することにより１つの物理チャネルを構成し、インデックスギャップが大きいほど周波数軸で相互に離れているリソースとなるようにｍｉｎｉ−ＣＣＥのインデックスが付けられているために、周波数ダイバーシティを最大に得ることができる。追加で、ＰＣＦＩＣＨ用ｍｉｎｉ−ＣＣＥをまず選択し、残りのｍｉｎｉ−ＣＣＥでＰＨＩＣＨ用ｍｉｎｉ−ＣＣＥを選択した後に、この残りのｍｉｎｉ−ＣＣＥを用いてＣＣＥを構成し、ＰＤＣＣＨ用に使用するようにする一連の過程を介して、個別制御チャネルが占有するｍｉｎｉ−ＣＣＥが相互に衝突しない、すなわち、ｍｉｎｉ−ＣＣＥが反復して定義されないことを保証することができる。
【図面の簡単な説明】
【００３０】
【図１】一般的なＬＴＥシステムにおけるサブフレーム構成を示す図である。
【図２】本発明の実施形態に従ってＮａｎｔ＝４であり、Ｌ＝３である場合における制御リソースブロック＃０でのｍｉｎｉ−ＣＣＥインデックスを示す図である。
【図３】本発明の実施形態に従ってＮａｎｔ＝４であり、Ｌ＝３である場合における制御リソースブロック及びｍｉｎｉ−ＣＣＥインデキシング方法を示す図である。
【図４】本発明の実施形態に従ってＮａｎｔ＝２であり、Ｌ＝３である場合における制御リソースブロック＃０でのｍｉｎｉ−ＣＣＥインデックスを示す図である。
【図５】本発明の実施形態に従ってＮａｎｔ＝１であり、Ｌ＝３である場合における制御リソースブロック＃０でのｍｉｎｉ−ＣＣＥインデックスを示す図である。
【図６】本発明の実施形態に従ってＮａｎｔ＝１又は２であり、Ｌ＝３である場合における制御リソースブロック及びｍｉｎｉ−ＣＣＥインデキシング方法を示す図である。
【図７】本発明の実施形態に従ってＮａｎｔ＝４でありＬ＝２である場合における制御リソースブロック＃０でのｍｉｎｉ−ＣＣＥインデックスを示す図である。
【図８】本発明の実施形態に従ってＮａｎｔ＝４でありＬ＝２である場合における制御リソースブロック及びｍｉｎｉ−ＣＣＥインデキシング方法を示す図である。
【図９】本発明の実施形態に従ってＮａｎｔ＝２であり、Ｌ＝２である場合における制御リソースブロック＃０でのｍｉｎｉ−ＣＣＥインデックスを示す図である。
【図１０】本発明の実施形態に従ってＮａｎｔ＝１であり、Ｌ＝２である場合における制御リソースブロック＃０でのｍｉｎｉ−ＣＣＥインデックスを示す図である。
【図１１】本発明の実施形態に従ってＮａｎｔ＝１又は２であり、Ｌ＝２である場合における制御リソースブロック及びｍｉｎｉ−ＣＣＥインデキシング方法を示す図である。
【図１２】本発明の実施形態に従ってＮａｎｔ＝２でありＬ＝１である場合における制御リソースブロック＃０でのｍｉｎｉ−ＣＣＥインデックスを示す図である。
【図１３】本発明の実施形態に従ってＮａｎｔ＝１であり、Ｌ＝１である場合における制御リソースブロック＃０でのｍｉｎｉ−ＣＣＥインデックスを示す図である。
【図１４】本発明の実施形態に従ってＬ＝１である場合における制御リソースブロック及びｍｉｎｉ−ＣＣＥインデキシング方法を示す図である。
【図１５】本発明の実施形態に従って等間隔リソース選択の実施形態を説明するための図である。
【図１６】本発明の実施形態に従って領域基盤リソース選択の第１の実施形態を説明するための図である。
【図１７】本発明の実施形態に従って領域基盤リソース選択の第２の実施形態を説明するための図である。
【図１８】本発明の実施形態に従ってＮａｎｔ＝４、Ｌ＝３、及びＬＰＨＩＣＨ＝１である場合における制御チャネルのリソースマッピングの実施形態を説明するための図である。
【図１９】本発明の実施形態に従ってＰＣＦＩＣＨ及びＰＨＩＣＨをマッピングし、残りのｍｉｎｉ−ＣＣＥからＣＣＥを構成し、ＰＤＣＣＨリソースをマッピングする実施形態を説明するための図である。
【図２０】本発明の実施形態に従って本発明で提案する制御チャネルのリソースマッピング及びデマッピングを示すフローチャートである。
【図２１】本発明の実施形態に従って本発明で提案するリソースマッピングが適用された送信器装置の構成図である。
【図２２】本発明の実施形態に従って本発明で提案するリソースマッピングが適用された受信器装置の構成図である。
【図２３】本発明の実施形態に従ってＮａｎｔ＝１又は２、Ｌ＝２、及びＬＰＨＩＣＨ＝２である場合における制御チャネルリソースマッピングの実施形態を説明するための図である。
【図２４】本発明の実施形態に従ってＮａｎｔ＝４、Ｌ＝３、及びＬＰＨＩＣＨ＝３である場合における制御チャネルリソースマッピングの実施形態を説明するための図である。
【発明を実施するための形態】
【００３１】
以下、本発明の好適な一実施形態を添付図面を参照しつつ詳細に説明する。下記の説明において、本発明の要旨のみを明瞭にする目的で、関連した公知の機能または構成に関する具体的な説明は省略する。なお、図面中、同一の構成要素及び部分には、可能な限り同一の符号及び番号を共通使用するものとする。そして、後述する用語は、本発明での機能を考慮して定義された用語であり、これは、ユーザー及び運用者の意図又は慣例に従って変わっても良い。従って、これらの用語は、本発明の全体の内容に基づいて定義されなければならない。
【００３２】
以下で説明される本発明は、本発明のさらなる理解を助けるためにｍｉｎｉ−ＣＣＥインデキシング及び物理チャネルのリソースマッピング、及び制御チャネルのリソースマッピングに区分して説明する。特に、ｍｉｎｉ−ＣＣＥインデキシングの説明において、さらなる理解を助けるために、各アンテナポートの個数Ｎａｎｔ及び制御チャネルのために使用されたＯＦＤＭシンボルの個数Ｌが詳細に説明されることになる。本発明は、ｍｉｎｉ−ＣＣＥを時間優先方式でインデキシングし、これを等間隔リソース選択又は領域基盤リソース選択により物理チャネルにマッピングした後に、ＰＣＦＩＣＨ、ＰＨＩＣＨ、及びＰＤＣＣＨのような制御チャネルをこの物理チャネルにマッピングする。
【００３３】
「ｍｉｎｉ−ＣＣＥインデキシング」
物理リソースである個別ｍｉｎｉ−ＣＣＥをどの制御チャネルの構成に使用するかを決定する規則を定義するために、まずｍｉｎｉ−ＣＣＥをインデキシングする方法を定義する。ｍｉｎｉ−ＣＣＥインデキシング方法は、アンテナポートの個数Ｎａｎｔ及び制御チャネルに使用されるＯＦＤＭシンボルの個数Ｌに従って異なって定義され、まず２次元のｍｉｎｉ−ＣＣＥを時間軸上でインデキシングするための規則を共通で適用する。
【００３４】
図２乃至図１４を参照して、本発明の実施形態によるＯＦＤＭ基盤移動通信システムにおける制御チャネルのリソース割り当ての様々な例について具体的に説明する。
【００３５】
図２は、Ｎａｎｔ＝４であり、Ｌ＝３である場合における制御リソースブロック＃０でのｍｉｎｉ−ＣＣＥインデックスを示す。
【００３６】
ここで使用される‘制御リソースブロック’は、周波数軸での１２個のＲＥ及び時間軸上でのＬ個のＯＦＤＭシンボルで構成されたリソースの集合を意味する。１２個のＲＥは、１つのＲＢを構成する周波数軸上のリソースの個数と同一である。ＬＴＥシステムは、１つのＲＢ内でチャネル応答にほぼ差がないと仮定すると、１つのＲＢを構成する周波数軸での１２個のＲＥを１つのＲＢとして定義する。このような仮定に基づく制御リソースブロック内ではチャネル応答にほぼ差がないと見なされることができる。図２でのＲＳの位置は、セルにより定められた定義に従って変わることができるが、ｍｉｎｉ−ＣＣＥインデキシングには全く影響を及ぼさない。
【００３７】
図２に示すように、Ｎａｎｔ＝４であり、Ｌ＝３である場合に、１つの制御リソースブロックは、７個のｍｉｎｉ−ＣＣＥを含む。参照符号２００は、ｍｉｎｉ−ＣＣＥ ＃０を示す。１つのｍｉｎｉ−ＣＣＥは、４個の有効なＲＥで構成されなければならず、２個のＲＥがｍｉｎｉ−ＣＣＥ ＃０でＲＳ０及びＲＳ１に使用されるため、ｍｉｎｉ−ＣＣＥ ＃０は、複数のＲＳを含む６個のＲＥで構成される。時間優先インデキシングを適用する際に、次のｍｉｎｉ−ＣＣＥは、次のＯＦＤＭシンボルに配置したｍｉｎｉ−ＣＣＥ ＃１ ２０１である。同様に、２個のＲＥがＲＳ２及びＲＳ３のために使用されるので、ｍｉｎｉ−ＣＣＥ ＃１は、複数のＲＳを含む６個のＲＥで構成される。ｍｉｎｉ−ＣＣＥ＃２ ２０２は、次のＯＦＤＭシンボルに配置される。サブフレームにおいて、３番目ＯＦＤＭシンボルにはＲＳが定義されていないために、４個のＲＥは、純粋に１つのｍｉｎｉ−ＣＣＥを構成する。ｍｉｎｉ−ＣＣＥ＃３ ２０３は、ｍｉｎｉ−ＣＣＥ＃２ ２０２と同一のＯＦＤＭシンボルに配置される。同様に、時間優先インデキシング規則を適用する際に、ｍｉｎｉ−ＣＣＥ ＃４ ２０４、＃５ ２０５、及び＃６ ２０６は、それぞれ１番目、２番目、及び３番目のＯＦＤＭシンボルに配置され、ｍｉｎｉ−ＣＣＥ ＃４ ２０４及びｍｉｎｉ−ＣＣＥ ＃５ ２０５は、ＲＳにより６個のＲＥをそれぞれ含む。
【００３８】
図３は、Ｎａｎｔ＝４であり、Ｌ＝３である場合における制御リソースブロック及びｍｉｎｉ−ＣＣＥインデキシング方法を示す。図２については、１つの制御リソースブロック内のｍｉｎｉ−ＣＣＥインデキシング方法が説明され、図３については、全システム帯域にわたってｍｉｎｉ−ＣＣＥがどのようにインデキシングされるかについての方法が説明される。制御リソースブロック＃０ ２１０内のｍｉｎｉ−ＣＣＥインデックスは、図２でのｍｉｎｉ−ＣＣＥインデックスと同一であり、制御リソースブロック＃１ ２１１も同一の方式でｍｉｎｉ−ＣＣＥインデックスが付けられる。ｍｉｎｉ−ＣＣＥインデックスを一般的に説明すると、ｍｉｎｉ−ＣＣＥ＃７Ｋからｍｉｎｉ−ＣＣＥ＃（７Ｋ＋６）までの総計７個のｍｉｎｉ−ＣＣＥは、２２０、２２１、２２２、２２３、２２４、２２５、及び２２６の順序で、制御リソースブロック＃Ｋ ２１３において定義される。ｍｉｎｉ−ＣＣＥの中で、ｍｉｎｉ−ＣＣＥ２２０及び２２４は、１番目のＯＦＤＭシンボルに配置され、ｍｉｎｉ−ＣＣＥ２２１及び２２５は、２番目のＯＦＤＭシンボルに配置され、ｍｉｎｉ−ＣＣＥ２２２、２２３、及び２２６は、３番目のＯＦＤＭシンボルに配置される。特定のｍｉｎｉ−ＣＣＥが幾番目のＯＦＤＭシンボルに配置されるかは、対応するｍｉｎｉ−ＣＣＥインデックスを７で割ることにより得られた余りを計算することにより判定することができる。余りが０又は４である場合に、対応するｍｉｎｉ−ＣＣＥは、１番目のＯＦＤＭシンボルに配置される。余りが１又は５である場合に、対応するｍｉｎｉ−ＣＣＥは、２番目のＯＦＤＭシンボルに配置される。余りが２、３、又は６である場合に、対応するｍｉｎｉ−ＣＣＥは、３番目のＯＦＤＭシンボルに配置される。
【００３９】
時間優先インデキシングは、２個のｍｉｎｉ−ＣＣＥインデックス間の差が大きいほど周波数軸上で相互に遠く離れているという特性を使用する。したがって、後でマッピング規則を定義するにあたり、インデックス差が大きいｍｉｎｉ−ＣＣＥで１つの物理チャネルを構成すると、周波数ダイバーシティ利得を最大に得ることができる。
【００４０】
図４は、Ｎａｎｔ＝２であり、Ｌ＝３である場合における制御リソースブロック＃０でのｍｉｎｉ−ＣＣＥインデックスを示す。図２との差異点は、ＲＳが２番目のＯＦＤＭシンボルで定義されないために２番目のＯＦＤＭシンボルに配置されたｍｉｎｉ−ＣＣＥ３０１、３０３、及び３０６は、それぞれ４個のＲＥで構成されることである。制御リソースブロック＃０ ２１０は、総計８個のｍｉｎｉ−ＣＣＥを含み、同一の方式で時間優先インデキシングが適用され、これにより、ｍｉｎｉ−ＣＣＥ＃０からｍｉｎｉ−ＣＣＥ＃７までのｍｉｎｉ−ＣＣＥは、３００、３０１、３０２、３０３、３０４、３０５、３０６、及び３０７の順序でインデキシングされる。
【００４１】
図５は、Ｎａｎｔ＝１であり、Ｌ＝３である場合における制御リソースブロック＃０でのｍｉｎｉ−ＣＣＥインデックスを示す。１個のアンテナポートが定義されるので、ＲＳ０のみが必要とされるが、ＲＳ１がパンクチャーリングされるため、ｍｉｎｉ−ＣＣＥ構成に実際に使用可能な有効なＲＥの位置及び個数は、２個のアンテナポートが定義された場合の有効なＲＥの位置及び個数と同一である。したがって、アンテナポートの個数が図４のアンテナポートの個数とは異なるが、ｍｉｎｉ−ＣＣＥインデックスは、図４のｍｉｎｉ−ＣＣＥインデックスと同一である。ｍｉｎｉ−ＣＣＥ＃０乃至ｍｉｎｉ−ＣＣＥ＃７は、３１０、３１１、３１２、３１３、３１４、３１５、３１６、及び３１７の順序でインデキシングされる。
【００４２】
図６は、Ｎａｎｔ＝１又は２であり、Ｌ＝３である場合における制御リソースブロック及びｍｉｎｉ−ＣＣＥインデキシング方法を示す。図４及び図５では、１つの制御リソースブロック内でｍｉｎｉ−ＣＣＥインデキシング方法が紹介され、全システム帯域にわたってｍｉｎｉ−ＣＣＥインデックスがどのように付けられるかが、図６で説明される。制御リソースブロック＃０ ２１０内のｍｉｎｉ−ＣＣＥインデックスは、図４及び図５でのｍｉｎｉ−ＣＣＥインデックスと同一であり、制御リソースブロック＃１ ２１１も同一の方式でｍｉｎｉ−ＣＣＥインデックスが付けられる。ｍｉｎｉ−ＣＣＥインデックスを一般的に説明すると、ｍｉｎｉ−ＣＣＥ＃８Ｋからｍｉｎｉ−ＣＣＥ＃（８Ｋ＋７）までの総計８個のｍｉｎｉ−ＣＣＥは、３３０、３３１、３３２、３３３、３３４、３３５、３３６、及び３３７の順序で制御リソースブロック＃Ｋ ２１３において定義される。ｍｉｎｉ−ＣＣＥの中で、ｍｉｎｉ−ＣＣＥ３３０及び３３５は、１番目のＯＦＤＭシンボルに配置され、ｍｉｎｉ−ＣＣＥ３３１、３３３、及び３３６は、２番目のＯＦＤＭシンボルに配置され、ｍｉｎｉ−ＣＣＥ３３２、３３４、及び３３７は、３番目のＯＦＤＭシンボルに配置される。特定のｍｉｎｉ−ＣＣＥが幾番目のＯＦＤＭシンボルに配置されるかは、対応するｍｉｎｉ−ＣＣＥインデックスを８で割ることにより得られた余りを計算することにより判定することができる。余りが０又は５である場合に、対応するｍｉｎｉ−ＣＣＥは、１番目のＯＦＤＭシンボルに配置される。余りが１、３又は６である場合に、対応するｍｉｎｉ−ＣＣＥは、２番目のＯＦＤＭシンボルに配置される。余りが２、４、又は７である場合に、対応するｍｉｎｉ−ＣＣＥは、３番目のＯＦＤＭシンボルに配置される。
【００４３】
図７は、Ｎａｎｔ＝４でありＬ＝２である場合における制御リソースブロック＃０でのｍｉｎｉ−ＣＣＥインデックスを示す。１つの制御リソースブロックは、４個のｍｉｎｉ−ＣＣＥを含む。時間優先インデキシングを適用してｍｉｎｉ−ＣＣＥ＃０からｍｉｎｉ−ＣＣＥ＃３までのｍｉｎｉ−ＣＣＥは、４００、４０１、４０２、及び４０３の順序でインデキシングされる。すべてのｍｉｎｉ−ＣＣＥがＲＳを含んでいるため、６個のＲＥで構成されることを確認することができる。
【００４４】
図８は、Ｎａｎｔ＝４でありＬ＝２である場合における制御リソースブロック及びｍｉｎｉ−ＣＣＥインデキシング方法を示す。図７では、１つの制御リソースブロック内でｍｉｎｉ−ＣＣＥインデキシング方法が紹介され、全システム帯域にわたってｍｉｎｉ−ＣＣＥインデックスがどのように付けられるかが、図８で説明される。制御リソースブロック＃０ ２１０内のｍｉｎｉ−ＣＣＥインデックスは、図７でのｍｉｎｉ−ＣＣＥインデックスと同一であり、制御リソースブロック＃１ ２１１も同一の方式でｍｉｎｉ−ＣＣＥインデックスが付けられる。ｍｉｎｉ−ＣＣＥインデックスを一般的に説明すると、ｍｉｎｉ−ＣＣＥ＃４Ｋからｍｉｎｉ−ＣＣＥ＃（４Ｋ＋３）までの総計４個のｍｉｎｉ−ＣＣＥは、４００、４０１、４０２、及び４０３の順序で制御リソースブロック＃Ｋ ２１３において定義される。ｍｉｎｉ−ＣＣＥの中で、ｍｉｎｉ−ＣＣＥ４００及び４０２は、１番目のＯＦＤＭシンボルに配置され、ｍｉｎｉ−ＣＣＥ４０１及び４０３は、２番目のＯＦＤＭシンボルに配置される。特定のｍｉｎｉ−ＣＣＥが幾番目のＯＦＤＭシンボルに配置されるかは、対応するｍｉｎｉ−ＣＣＥインデックスを４で割ることにより得られた余りを計算することにより判定することができる。余りが０又は２である場合に、対応するｍｉｎｉ−ＣＣＥは、１番目のＯＦＤＭシンボルに配置される。余りが１又は３である場合に、対応するｍｉｎｉ−ＣＣＥは、２番目のＯＦＤＭシンボルに配置される。
【００４５】
図９は、Ｎａｎｔ＝２であり、Ｌ＝２である場合における制御リソースブロック＃０でのｍｉｎｉ−ＣＣＥインデックスを示す。図７との差異点は、ＲＳが２番目のＯＦＤＭシンボルで定義されないために２番目のＯＦＤＭシンボルに配置されたｍｉｎｉ−ＣＣＥ５０１、５０２、及び５０４は、それぞれ４個のＲＥで構成されることである。制御リソースブロック＃０ ２１０は、総計５個のｍｉｎｉ−ＣＣＥを含み、同一の方式で時間優先インデキシングが適用され、これにより、ｍｉｎｉ−ＣＣＥ＃０からｍｉｎｉ−ＣＣＥ＃４までのｍｉｎｉ−ＣＣＥは、５００、５０１、５０２、５０３、及び５０４の順序でインデキシングされる。
【００４６】
図１０は、Ｎａｎｔ＝１であり、Ｌ＝２である場合における制御リソースブロック＃０でのｍｉｎｉ−ＣＣＥインデックスを示す。１個のアンテナポートが定義されるので、ＲＳ０のみが必要とされるが、ＲＳ１がパンクチャーリングされるため、ｍｉｎｉ−ＣＣＥ構成に実際に使用可能な有効なＲＥの位置及び個数は、２個のアンテナポートが定義された場合の有効なＲＥの個数と同一である。したがって、アンテナポートの個数が図９のアンテナポートの個数とは異なるが、ｍｉｎｉ−ＣＣＥインデックスは、図９のｍｉｎｉ−ＣＣＥインデックスと同一である。ｍｉｎｉ−ＣＣＥ＃０乃至ｍｉｎｉ−ＣＣＥ＃４は、５１０、５１１、５１２、５１３、及び５１４の順序でインデキシングされる。
【００４７】
図１１は、Ｎａｎｔ＝１又は２であり、Ｌ＝２である場合における制御リソースブロック及びｍｉｎｉ−ＣＣＥインデキシング方法を示す。図９及び図１０では、１つの制御リソースブロック内でｍｉｎｉ−ＣＣＥインデキシング方法が紹介され、全システム帯域にわたってｍｉｎｉ−ＣＣＥのインデックスがどのように付けられるかが、図１１で説明される。制御リソースブロック＃０ ２１０内のｍｉｎｉ−ＣＣＥインデックスは、図９及び図１０でのｍｉｎｉ−ＣＣＥインデックスと同一であり、制御リソースブロック＃１ ２１１も同一の方式でｍｉｎｉ−ＣＣＥインデックスが付けられる。ｍｉｎｉ−ＣＣＥインデックスを一般的に説明すると、ｍｉｎｉ−ＣＣＥ＃５Ｋからｍｉｎｉ−ＣＣＥ＃（５Ｋ＋４）までの総計５個のｍｉｎｉ−ＣＣＥは、５３０、５３１、５３２、５３３、及び５３４の順序で制御リソースブロック＃Ｋ ２１３において定義される。ｍｉｎｉ−ＣＣＥの中で、ｍｉｎｉ−ＣＣＥ５３０及び５３３は、１番目のＯＦＤＭシンボルに配置され、ｍｉｎｉ−ＣＣＥ５３１、５３２、及び５３４は、２番目のＯＦＤＭシンボルに配置される。特定のｍｉｎｉ−ＣＣＥが幾番目のＯＦＤＭシンボルに配置されるかは、対応するｍｉｎｉ−ＣＣＥインデックスを５で割ることにより得られた余りを計算することにより判定することができる。余りが０又は３である場合に、対応するｍｉｎｉ−ＣＣＥは、１番目のＯＦＤＭシンボルに配置される。余りが１、２又は４である場合に、対応するｍｉｎｉ−ＣＣＥは、２番目のＯＦＤＭシンボルに配置される。
【００４８】
図１２は、Ｎａｎｔ＝２でありＬ＝１である場合における制御リソースブロック＃０でのｍｉｎｉ−ＣＣＥインデックスを示す。１つの制御リソースブロックは、２個のｍｉｎｉ−ＣＣＥを含む。１つのＯＦＤＭシンボルだけが制御チャネル送信のために使用されるので、時間優先インデキシングを適用しても、その結果は、簡素に周波数軸上でインデキシングされる際に得られた結果とは異ならない。ｍｉｎｉ−ＣＣＥ＃０及びｍｉｎｉ−ＣＣＥ＃１のｍｉｎｉ−ＣＣＥは、６００及び６０１の順序でインデキシングされる。すべてのｍｉｎｉ−ＣＣＥがＲＳを含んでいるため、６個のＲＥで構成されることを確認することができる。
【００４９】
図１３は、Ｎａｎｔ＝１であり、Ｌ＝１である場合における制御リソースブロック＃０でのｍｉｎｉ−ＣＣＥインデックスを示す。１個のアンテナポートが定義されるので、ＲＳ０のみが必要とされるが、ＲＳ１がパンクチャーリングされるため、ｍｉｎｉ−ＣＣＥ構成に実際に使用可能な有効なＲＥの位置及び個数は、２個のアンテナポートが定義された場合の有効なＲＥの個数と同一である。したがって、アンテナポートの個数が図１２のアンテナポートの個数とは異なるが、ｍｉｎｉ−ＣＣＥインデックスは、図１２のｍｉｎｉ−ＣＣＥインデックスと同一である。ｍｉｎｉ−ＣＣＥ＃０及びｍｉｎｉ−ＣＣＥ＃１のｍｉｎｉ−ＣＣＥは、６００及び６０１の順序でインデキシングされる。
【００５０】
図１４は、Ｌ＝１である場合における制御リソースブロック及びｍｉｎｉ−ＣＣＥインデキシング方法を示す。図１２及び図１３では、１つの制御リソースブロック内でｍｉｎｉ−ＣＣＥインデキシング方法が紹介され、全システム帯域にわたってｍｉｎｉ−ＣＣＥのインデックスがどのように付けられるかが、図１４で説明される。制御リソースブロック＃０ ２１０内のｍｉｎｉ−ＣＣＥインデックスは、図１２及び図１３でのｍｉｎｉ−ＣＣＥインデックスと同一であり、制御リソースブロック＃１ ２１１も同一の方式でｍｉｎｉ−ＣＣＥインデックスが付けられる。ｍｉｎｉ−ＣＣＥインデックスを一般的に説明すると、ｍｉｎｉ−ＣＣＥ＃５Ｋからｍｉｎｉ−ＣＣＥ＃（２Ｋ＋１）までの総計２個のｍｉｎｉ−ＣＣＥは、６３０及び６３１の順序で制御リソースブロック＃Ｋ ２１３において定義される。１つのＯＦＤＭシンボルだけが制御チャネル送信のために使用されるので、時間優先インデキシングを適用しても、その結果は、簡素に周波数軸上でインデキシングされる際に得られた結果とは異ならない。この場合に、すべてのｍｉｎｉ−ＣＣＥは、１番目のＯＦＤＭシンボルに配置される。
【００５１】
ｍｉｎｉ−ＣＣＥインデキシングは、次のような方法で説明される。ｍｉｎｉ−ＣＣＥは、ｍｉｎｉ−ＣＣＥを構成するＲＥの中の１番目のＲＥにより示される。すなわち、ｋが周波数上でのサブキャリアインデックスを示し、１が時間軸上でのＯＦＤＭシンボルインデックスを示す際に、１つのＲＥは、インデックス（ｋ，ｌ）で表現されることができる。また、ｍｉｎｉ−ＣＣＥは、その中の１番目のＲＥのインデックス（ｋ，ｌ）により代表される。ｍｉｎｉ−ＣＣＥを含むＲＢ、すなわち、制御リソースブロックがＲＳから開始する場合に、ｍｉｎｉ−ＣＣＥを代表するＲＥのインデックスは、（ｋ−１，ｌ）に変わらなければならない。このような条件では、インデックス（ｋ−１，ｌ）を有するＲＥは、ＲＳである。ｍｉｎｉ−ＣＣＥのインデックスは、時間優先インデキシングに基づいており、このような条件を満足させる関数ｆ（ｋ，ｌ）によりインデキシングされることができる。ｍｉｎｉ−ＣＣＥを代表するＲＥ（ｋ，ｌ）を入力とする関数ｆ（ｋ，ｌ）は、ｆ（ｋ，ｌ）の対応するｍｉｎｉ−ＣＣＥの値に従って対応するｍｉｎｉ−ＣＣＥをインデキシングする。
【００５２】
このような関数ｆ（ｋ，ｌ）の１つの実施形態は、ｆ（ｋ，ｌ）＝ｋ＋１を定義することである。上記の例で説明したように、ｍｉｎｉ−ＣＣＥがＲＳを含む場合に、ｋは、６の間隔で増加し、ｍｉｎｉ−ＣＣＥがＲＳを含まない場合には、ｋは、４の間隔で増加する。一方、時間インデックスｌは、１の間隔で増加する。したがって、もし同一の周波数インデックスｋにおいて時間インデックスｌが１つ増加するならば、時間インデックスｌの値は、同一の時間インデックスｌにおいて周波数インデックスｋを１つ増加させることにより得られる値より小さい。したがって、時間インデックスが増加されたｍｉｎｉ−ＣＣＥが、周波数インデックスが増加されたｍｉｎｉ−ＣＣＥに比べて優先してインデキシングされるので、時間優先インデキシングに対して関数ｆ（ｋ，ｌ）＝ｋ＋ｌを使用することができる。この他にも、時間優先インデキシングを実現する様々な他の関数ｆ（ｋ，ｌ）を定義することができる。本発明では、このような関数のすべての実施形態の説明を省略する。
【００５３】
一部のｍｉｎｉ−ＣＣＥに関して、ｍｉｎｉ−ＣＣＥの関数ｆ（ｋ，ｌ）＝ｋ＋１が相互に異なるｋ及びｌを使用しても、ｍｉｎｉ−ＣＣＥは、同一の出力を示してもよい。この場合には、小さい周波数インデックスｋを有するｍｉｎｉ−ＣＣＥがもっと早いインデックスを有するように配置することにより、上述した時間優先インデキシングを実現することができる。
【００５４】
要するに、ｍｉｎｉ−ＣＣＥを代表するＲＥのインデックス（ｋ，ｌ）を用いてｍｉｎｉ−ＣＣＥをインデキシングするにあたって、本発明は、ｆ（ｋ，ｌ）の値が小さいｍｉｎｉ−ＣＣＥがもっと早いインデックスを有し、もしｆ（ｋ，ｌ）の値が同一である場合には、ｋが小さなｍｉｎｉ−ＣＣＥがもっと早いインデックスを有するように、時間優先インデキシング条件を満足する関数ｆ（ｋ，ｌ）を導入し、ｍｉｎｉ−ＣＣＥをインデキシングする。ｍｉｎｉ−ＣＣＥを代表するＲＥは、ｍｉｎｉ−ＣＣＥに含まれることもあり、又は含まれないこともある。後のリソースマッピングでは、このようにインデキシングされたｍｉｎｉ−ＣＣＥインデックスの順序による４個の変調シンボルから構成された変調シンボル集合が配置される。
【００５５】
「物理チャネルのリソースマッピング」
ｍｉｎｉ−ＣＣＥインデキシングは、リソースをインデキシングしてリソースマッピングがどのように実行されるかを容易に説明するためである。本章では、リソースがインデキシングされた後に物理チャネルがどのようにリソースにマッピングされるかについて説明する。物理チャネルのリソースマッピングは、最大に周波数ダイバーシティ利得を得ることができるように、変調シンボルがシステム全帯域にわたって分布されるように実行されなければならない。本発明は、このような目的を達成するためのリソースマッピング方法として等間隔リソース選択方法及び領域基盤リソース選択方法を提案する。
【００５６】
図１５は、等間隔リソース選択の実施形態を示す。参照符号７００〜７１０は、個別物理リソースを示す。物理リソースの単位は、ＲＥであってもよく又は複数の隣接したＲＥ集合であってもよい。ここで、ＬＴＥシステムで定義された制御チャネル送信のために使用された物理リソースであるため、単位は、ｍｉｎｉ−ＣＣＥである。しかしながら、物理チャネルのリソースマッピングが他のタイプのチャネルに適用される場合に、物理リソースの単位は、異なって定義されることができる。図１５の実施形態において、総計１１個のｍｉｎｉ−ＣＣＥが使用可能であると仮定される。図１５による本発明の実施形態において、３個のｍｉｎｉ−ＣＣＥが１１個のｍｉｎｉ−ＣＣＥから選択され、１つの物理チャネルの送信のために使用される。図１５は、３個のｍｉｎｉ−ＣＣＥ７０２、７０５、及び７０８を選択し、この選択されたｍｉｎｉ−ＣＣＥを有する１つの物理チャネルを構成する実施形態を示す。選択された１番目のｍｉｎｉ−ＣＣＥ７０２は、ｍｉｎｉ−ＣＣＥ＃０からオフセット７１１だけ離隔され、この選択された残りのｍｉｎｉ−ＣＣＥ７０５及び７０８は、一定の間隔７１３だけ離隔される。このような一定の間隔のリソース選択は、数式（１）として数学的に表現することができる。
【００５７】
［数１］
ｎｉ＝ｍｏｄ（ｏｆｆｓｅｔ＋ｉ×ｇａｐ，Ｎｔｏｔａｌ） ・・・（１）
【００５８】
数式（１）において、ｉは、選択されたｍｉｎｉ−ＣＣＥの順序を示し、１つの物理チャネルがＮｐｈｙ個のｍｉｎｉ−ＣＣＥで構成される場合に、ｉ＝０，…，Ｎｐｈｙ−１である。また、ｎｉは、ｉ番目に選択されたｍｉｎｉ−ＣＣＥのインデックスを示す。この選択された１番目のｍｉｎｉ−ＣＣＥは、‘ｏｆｆｓｅｔ’番目のｍｉｎｉ−ＣＣＥであり、この選択された残りのｍｉｎｉ−ＣＣＥは、一定の間隔だけ離隔したｍｉｎｉ−ＣＣＥである。さらに、Ｎｔｏｔａｌは、使用可能なｍｉｎｉ−ＣＣＥの個数を示し、ｍｉｎｉ−ＣＣＥインデックスがＮｔｏｔａｌより大きいか又は同一である場合に、ｍｉｎｉ−ＣＣＥがサイクリックシフトを経験するようにモジュロ演算を実行する。ここで、ｍｏｄ（ｘ，ｙ）は、ｘをｙで割ることにより得られた余りを意味する。周波数間隔を最大に増加させるために、ギャップは、ｇａｐ＝ｆｌｏｏｒ（Ｎｔｏｔａｌ／Ｎｐｈｙ）又はｇａｐ＝ｃｅｉｌ（Ｎｔｏｔａｌ／Ｎｐｈｙ）に決定される。ここで、ｆｌｏｏｒ（ｘ）は、ｘより小さいか又は同一の最大整数を計算するために使用されたフロア関数であり、ｃｅｉｌ（ｘ）は、ｘより大きいか又は同一の最小整数を計算するために使用されるシーリング関数である。図１５の実施形態を数式（１）で説明すると、各パラメータは、Ｎｔｏｔａｌ＝１１、Ｎｐｈｙ＝３、ｏｆｆｓｅｔ＝２、及びｇａｐ＝ｆｌｏｏｒ（Ｎｔｏｔａｌ／Ｎｐｈｙ）＝３になる。
【００５９】
図１６は、領域基盤リソース選択の実施形態を示す。総計１１個の使用可能なｍｉｎｉ−ＣＣＥは、３個の領域に区分される。領域＃０ ７２０は、３個のｍｉｎｉ−ＣＣＥ７００、７０１、及び７０２で構成され、領域＃１ ７２１は、３個のｍｉｎｉ−ＣＣＥ７０３、７０４、及び７０５で構成され、領域＃２ ７２２は、５個のｍｉｎｉ−ＣＣＥ７０６、７０７、７０８、７０９、及び７１０で構成される。ｍｉｎｉ−ＣＣＥ７００、７０３、及び７０６は、それぞれ領域＃０ ７２０、領域＃１ ７２１、領域＃２ ７２２の先頭ｍｉｎｉ−ＣＣＥである。各領域の先頭ｍｉｎｉ−ＣＣＥから特定のオフセットだけ離れているｍｉｎｉ−ＣＣＥを選択することにより１つの物理チャネルを構成する。図１６は、領域＃０ ７２０では、先頭ｍｉｎｉ−ＣＣＥ７００からオフセット０だけ離隔したｍｉｎｉ−ＣＣＥ７０２を選択し、領域＃１ ７２１では、先頭ｍｉｎｉ−ＣＣＥ７０３からオフセット１だけ離隔したｍｉｎｉ−ＣＣＥ ７０５を選択し、領域＃２ ７２２では、先頭ｍｉｎｉ−ＣＣＥ７０６からオフセット２だけ離隔したｍｉｎｉ−ＣＣＥ７０８を選択することにより１つの物理チャネルを構成する方法を示す。領域基盤リソース選択は、数式（２）として数学的に表現されることができる。
【００６０】
［数２］
ｎｉ＝ｓｉ＋Δｉ ・・・（２）
【００６１】
数式（２）において、ｉは、選択されたｍｉｎｉ−ＣＣＥの順序を示し、１つの物理チャネルがＮｐｈｙ個のｍｉｎｉ−ＣＣＥで構成される場合に、ｉ＝０、…、Ｎｐｈｙ−１である。１つのｍｉｎｉ−ＣＣＥが領域別に選択されるので、領域の個数は、Ｎｐｈｙでなければならない。また、ｓｉは、領域＃ｉの先頭ｍｉｎｉ−ＣＣＥインデックスを示す。領域＃ｉがｚｉ個のｍｉｎｉ−ＣＣＥで定義される場合に、ｓ０＝０であり、ｉ＝１、…、Ｎｐｈｙ−１に対してｓｉ＝ｓｉ−１＋ｚｉ−１である。追加で、Δｉは、領域＃ｉから幾番目のｍｉｎｉ−ＣＣＥが選択されるかを示す値であり、Δｉ＝ｍｏｄ（オフセットｉ，ｚｉ）である。他方、オフセットｉは、セル及びサブフレームに従って一定の規則により変わることがある。オフセットｉがセルに従って変わることがある場合には、リソースマッピングは、セル特定マッピングであり、オフセットｉがサブフレームに従って変わることがある場合には、リソースマッピングは、領域基盤ホッピングとなる。
【００６２】
図１６の実施形態は、ｚｉ＝ｆｌｏｏｒ（Ｎｔｏｔａｌ／Ｎｐｈｙ）＝３を領域＃０ ７２０及び領域＃１ ７２１に適用し、残りのｍｉｎｉ−ＣＣＥを領域＃２ ７２２として設定する場合に対応し、本実施形態は、すべてのｉに対してオフセットｉ＝２を適用することによりｍｉｎｉ−ＣＣＥ７０２、７０５、及び７０８を選択する。
【００６３】
１つの物理チャネルを構成するにあたり、領域基盤リソース選択の特徴は、物理チャネルを構成するのに必要なリソースの個数だけ特定のサイズでシステム全帯域を領域に区分し、１つの物理リソースを各領域から選択することにより、周波数ダイバーシティ利得を保証し、セル及びサブフレームに従ってリソース選択方法を変更することにより干渉ダイバーシティ利得を得ることができるようにする。領域基盤リソース選択方法は、各領域のサイズｚｉをどのように設定するか、そして、各領域でオフセットｉをどのように設定するかに従って様々な方法を定義することができる。
【００６４】
図１７は、領域基盤リソース選択の他の実施形態を示す。本実施形態において、各領域のサイズは、下記の数式（３）の規則に従って決定される。
【００６５】
［数３］
ｚｉ＝ｓｉ＋１−ｓｉ、ここで、ｉ＝０，…，Ｎｐｈｙ−２に対して、ｓｉ＝ｆｌｏｏｒ（ｉ＊Ｎｔｏｔａｌ／Ｎｐｈｙ）、及びｓＮｐｈｙ＝Ｎｔｏｔａｌ
すなわち、ｉ＝０，…，Ｎｐｈｙ−２に対して、ｚｉ＝ｆｌｏｏｒ（（ｉ＋１）＊Ｎｔｏｔａｌ／Ｎｐｈｙ）−ｆｌｏｏｒ（ｉ＊Ｎｔｏｔａｌ／Ｎｐｈｙ）
ｚＮｐｈｙ−１＝Ｎｔｏｔａｌ−ｆｌｏｏｒ（（Ｎｐｈｙ−１）＊Ｎｔｏｔａｌ／Ｎｐｈｙ）
・・・（３）
【００６６】
上記の規則に従って、領域＃０ ７３０は、３個のｍｉｎｉ−ＣＣＥ７００、７０１、及び７０２で構成され、領域＃１ ７３１は、４個のｍｉｎｉ−ＣＣＥ７０３、７０４、７０５、及び７０６で構成され、領域＃２ ７３２は、４個のｍｉｎｉ−ＣＣＥ７０７、７０８、７０９、及び７１０で構成される。１つの物理チャネルは、すべてのｉに対してオフセットｉ＝２を適用することによってｍｉｎｉ−ＣＣＥ７０２、７０５、及び７０９を選択することにより構成される。
【００６７】
「制御チャネルのリソースマッピング」
ここでは、上述したｍｉｎｉ−ＣＣＥインデキシング及び物理チャネルのリソースマッピング規則に基づいてＬＴＥシステムで定義されたダウンリンク制御チャネルであるＰＣＦＩＣＨ、ＰＨＩＣＨ、及びＰＤＣＣＨのリソースマッピング方法について説明する。
【００６８】
図１８は、Ｎａｎｔ＝４、Ｌ＝３、及びＬＰＨＩＣＨ＝１である場合における制御チャネルのリソースマッピングの実施形態を示す。Ｎａｎｔ＝４及びＬ＝３の場合に、ｍｉｎｉ−ＣＣＥは、図３に示すようにインデキシングされる。図１８の実施形態では、説明の便宜のために、制御リソースブロックの個数が６個であると仮定し、これにより、総計４２個のｍｉｎｉ−ＣＣＥが定義される。４２個のｍｉｎｉ−ＣＣＥがｍｉｎｉ−ＣＣＥのインデックスの順序で１次元（１Ｄ）再配列されると、その結果は、参照符号８２１で示される。ＰＣＦＩＣＨが１番目のＯＦＤＭシンボルのｍｉｎｉ−ＣＣＥに配置されなければならず、ＬＰＨＩＣＨ＝１である場合にＰＨＩＣＨも１番目のＯＦＤＭシンボルのｍｉｎｉ−ＣＣＥに配置されなければならないので、本実施形態は、ＰＣＦＩＣＨ用ｍｉｎｉ−ＣＣＥ及びＰＨＩＣＨ用ｍｉｎｉ−ＣＣＥを選択するために、１番目のＯＦＤＭシンボルのｍｉｎｉ−ＣＣＥだけを選び出さなければならない。参照符号８２３は、１番目のＯＦＤＭシンボルで選び出されたｍｉｎｉ−ＣＣＥだけを示す。４２個のｍｉｎｉ−ＣＣＥの中で、ｍｉｎｉ−ＣＣＥインデックスを７で割った際の余りが０又は４となる１２個のｍｉｎｉ−ＣＣＥ＃０ ８００、＃４ ８０１、＃７ ８０２、＃１１ ８０３、＃１４ ８０４、＃１８ ８０５、＃２１ ８０６、＃２５ ８０７、＃２８ ８０８、＃３２ ８０９、＃３５ ８１０、及び＃３９ ８１１は、１番目のＯＦＤＭシンボルにすべて配置される。参照符号８２３で示すように、１番目のＯＦＤＭシンボルのｍｉｎｉ−ＣＣＥだけが選択され配列された状態で、まずＰＣＦＩＣＨ用ｍｉｎｉ−ＣＣＥを選択する。参照符号８２５は、ＰＣＦＩＣＨ用の４個のｍｉｎｉ−ＣＣＥ（ＮＰＣＦＩＣＨ＝４）として選択されたｍｉｎｉ−ＣＣＥ＃７ ８０２、ｍｉｎｉ−ＣＣＥ＃１８ ８０５、ｍｉｎｉ−ＣＣＥ＃２８ ８０８、及びｍｉｎｉ−ＣＣＥ＃３９ ８１１を示す。ＰＣＦＩＣＨ用ｍｉｎｉ−ＣＣＥを選択する過程は、物理チャネルのリソースマッピング規則である等間隔リソース選択又は領域基盤リソース選択に従って実行される。ＰＨＩＣＨを構成するためには、１番目のＯＦＤＭシンボルのｍｉｎｉ−ＣＣＥの中でＰＣＦＩＣＨ用に使用されないｍｉｎｉ−ＣＣＥの内で、周波数軸上で相互に最大に離れているｍｉｎｉ−ＣＣＥを選択すべきである。参照符号８２７は、１番目のＯＦＤＭシンボルのｍｉｎｉ−ＣＣＥの中で、ＰＣＦＩＣＨ用に使用されないｍｉｎｉ−ＣＣＥをｍｉｎｉ−ＣＣＥのインデックスの順序に従って再配列する。ＰＨＩＣＨ用ｍｉｎｉ−ＣＣＥを選択する過程は、物理チャネルのリソースマッピング規則である等間隔リソース選択又は領域基盤リソース選択に従って実行される。参照符号８２９は、ＰＨＩＣＨ用に選択されたｍｉｎｉ−ＣＣＥを示す。ここで、ＰＨＩＣＨ０、１、２、及び３（８４３）は、ｍｉｎｉ−ＣＣＥ＃０ ８００、ｍｉｎｉ−ＣＣＥ＃１４ ８０４、ｍｉｎｉ−ＣＣＥ＃３２ ８０９の３個のｍｉｎｉ−ＣＣＥを選択することにより構成され（ＮＰＨＩＣＨ＝３）、ＰＨＩＣＨ４、５、６、及び７（８４５）は、ｍｉｎｉ−ＣＣＥ＃４ ８０１、ｍｉｎｉ−ＣＣＥ＃２１ ８０６、及びｍｉｎｉ−ＣＣＥ＃３５ ８１��の３個のｍｉｎｉ−ＣＣＥを選択することにより構成される（ＮＰＨＩＣＨ＝３）。参照符号８３１は、ＰＣＦＩＣＨ及びＰＨＩＣＨのために使用されたｍｉｎｉ−ＣＣＥを除いた、ｍｉｎｉ−ＣＣＥのインデックスの順序に従って再配列された３２個のｍｉｎｉ−ＣＣＥを示す。本実施形態は、残りのｍｉｎｉ−ＣＣＥ８４７からＣＣＥを構成し、ＰＤＣＣＨをマッピングする。
【００６９】
図１９は、ＰＣＦＩＣＨ及びＰＨＩＣＨをマッピングし、残りのｍｉｎｉ−ＣＣＥからＣＣＥを構成し、ＰＤＣＣＨリソースをマッピングする実施形態を示す。参照符号１００１〜１０１５は、図１８において、ＰＣＦＩＣＨ及びＰＨＩＣＨ用に選択されたｍｉｎｉ−ＣＣＥを除いた、ｍｉｎｉ−ＣＣＥのインデックスの順序に従って再配列された残りのｍｉｎｉ−ＣＣＥ８４７を示す。１つのＣＣＥは、９個のｍｉｎｉ−ＣＣＥ（ＮＣＣＥ＝９）を物理チャネルのリソースマッピング規則である等間隔リソース選択又は領域基盤リソース選択に従って選択することにより構成される。ＣＣＥ＃０ １０３０、ＣＣＥ＃１ １０３１、及びＣＣＥ＃２ １０３２は、このように選択されたｍｉｎｉ−ＣＣＥである。図１９の実施形態では、ＰＤＣＣＨ＃０ １０５０は、ＣＣＥ＃０ １０３０及びＣＣＥ＃１ １０３１にマッピングされ、２個のＣＣＥを使用して送信され、ＰＤＣＣＨ＃１ １０５１は、ＣＣＥ＃２ １０３２にマッピングされ、１個のＣＣＥを使用して送信される。他方、３個のＣＣＥが残りの３２個のｍｉｎｉ−ＣＣＥ８４７から構成されるので、ＰＤＣＣＨのために使用されたｍｉｎｉ−ＣＣＥの個数は、２７個であり、５個のｍｉｎｉ−ＣＣＥは、何の制御チャネルにも使用されない。ｍｉｎｉ−ＣＣＥ＃５ １００４、ｍｉｎｉ−ＣＣＥ＃１１ １００９、及びｍｉｎｉ−ＣＣＥ＃２５ １０１２は、このようにＣＣＥ用に選択されないｍｉｎｉ−ＣＣＥを示す。
【００７０】
ＰＣＦＩＣＨ及びＰＨＩＣＨをマッピングし、残りのｍｉｎｉ−ＣＣＥからＣＣＥを構成するにあたり、１つのＣＣＥがインデックスギャップが大きいｍｉｎｉ−ＣＣＥを選択することにより構成されると、個別ＣＣＥを構成するｍｉｎｉ−ＣＣＥが周波数軸上で相互に離れている可能性が非常に高く、これにより、周波数ダイバーシティ利得を得ることができる。
【００７１】
図２０は、本発明で提案する制御チャネルのリソースマッピング及びデマッピングを示すフローチャートである。
【００７２】
まず、ステップ９０１で、ｍｉｎｉ−ＣＣＥがインデキシングされる（すなわち、番号が付けられる。）。ｍｉｎｉ−ＣＣＥインデキシング（すなわち、ｍｉｎｉ−ＣＣＥ番号付け）は、アンテナポートの個数Ｎａｎｔ及び制御チャネルのために使用されるＯＦＤＭシンボルの個数Ｌに従って図３、図６、図８、図１１、及び図１４に示すような規則を用いて実行される。
【００７３】
次いで、ステップ９０３で、すべてのｍｉｎｉ−ＣＣＥは、ステップ９０１で決められたｍｉｎｉ−ＣＣＥのインデックスの順序で１次元再配列される。
【００７４】
ステップ９０５で、１番目のＯＦＤＭシンボルに配置されたｍｉｎｉ−ＣＣＥを選択し、ｍｉｎｉ−ＣＣＥのインデックスの順序で再配列する。
【００７５】
ステップ９０７で、本実施形態は、ステップ９０５で再配列されたｍｉｎｉ−ＣＣＥからＮＰＣＦＩＣＨ個のｍｉｎｉ−ＣＣＥを選択する。このような過程では、物理チャネルのリソースマッピング規則である等間隔リソース選択又は領域基盤リソース選択などが使用されることができる。
【００７６】
ステップ９０９で、送信装置の過程は、ＰＣＦＩＣＨ変調シンボルをステップ９０７で選択されたＰＣＦＩＣＨ用ｍｉｎｉ−ＣＣＥにマッピングするか、又は受信装置の過程は、ＰＣＦＩＣＨ用ｍｉｎｉ−ＣＣＥからＰＣＦＩＣＨ変調シンボルをデマッピングする。
【００７７】
ステップ９１１で、本実施形態は、ＰＣＦＩＣＨ用に使用されたｍｉｎｉ−ＣＣＥを除いた１番目のＯＦＤＭシンボルのｍｉｎｉ−ＣＣＥをインデックスの順序で再配列する。
【００７８】
ステップ９１３で、１番目のＯＦＤＭシンボル上の残りのｍｉｎｉ−ＣＣＥからＮＰＨＩＣＨ個のｍｉｎｉ−ＣＣＥを選択する。このような過程では、物理チャネルのリソースマッピング規則である等間隔リソース選択又は領域基盤リソース選択などが使用されることができる。ここで、選択されたｍｉｎｉ−ＣＣＥは、ＰＨＩＣＨ用ｍｉｎｉ−ＣＣＥとして即座に使用されることもあり、またはＰＨＩＣＨ用ｍｉｎｉ−ＣＣＥを決定するために使用されるこもある。ＬＰＨＩＣＨ＝１の場合に、ステップ９１３で選択されたｍｉｎｉ−ＣＣＥは、ＰＨＩＣＨに即座にマッピングされる。しかしながら、ＬＰＨＩＣＨ＝３の場合に、ＰＨＩＣＨ用ｍｉｎｉ−ＣＣＥは、１番目のＯＦＤＭシンボルだけから選択されない。周波数ダイバーシティ利得を保証するために、本実施形態は、まず、１番目のＯＦＤＭシンボルで周波数軸上で相互に離れているＮＰＨＩＣＨ個のｍｉｎｉ−ＣＣＥを選択し、この選択された一部のｍｉｎｉ−ＣＣＥを実際にＰＨＩＣＨ用に使用し、どのｍｉｎｉ−ＣＣＥが他のＯＦＤＭシンボルから選択され、これらがＰＨＩＣＨ用に使用されるかを判定する基準として、残りのｍｉｎｉ−ＣＣＥを使用する。本発明で提案するｍｉｎｉ−ＣＣＥインデキシング規則に従うと、１番目のＯＦＤＭシンボルに配置されたｍｉｎｉ−ＣＣＥのインデックスを１増加させる場合に、同一の周波数帯域を使用する２番目ＯＦＤＭシンボルに配置されたｍｉｎｉ−ＣＣＥを示すことができる。１番目のＯＦＤＭシンボルに配置されたｍｉｎｉ−ＣＣＥのインデックスを２増加させる場合に、同一の周波数帯域を使用する３番目のＯＦＤＭシンボルに配置されたｍｉｎｉ−ＣＣＥを示すことができる。例えば、図２を参照すると、１番目のＯＦＤＭシンボルに配置されたｍｉｎｉ−ＣＣＥ＃４ ２０４のインデックスを１増加させたｍｉｎｉ−ＣＣＥ＃５ ２０５は、２番目のＯＦＤＭシンボルに配置され、インデックスを２増加させたｍｉｎｉ−ＣＣＥ＃６ ２０６は、３番目のＯＦＤＭシンボルに配置され、ｍｉｎｉ−ＣＣＥ＃４ ２０４、ｍｉｎｉ−ＣＣＥ＃５ ２０５、及びｍｉｎｉ−ＣＣＥ＃６ ２０６は、すべて重複した周波数帯域を占有する。
【００７９】
ステップ９１４で、ＰＨＩＣＨ用ｍｉｎｉ−ＣＣＥを選択する。ＰＣＦＩＣＨ用ｍｉｎｉ−ＣＣＥを除いた残りのｍｉｎｉ−ＣＣＥの中でＰＨＩＣＨ用ｍｉｎｉ−ＣＣＥを選択するにあたり、ＬＰＨＩＣＨ＝１である場合に、ステップ９１３で選択されたｍｉｎｉ−ＣＣＥをそのままＰＣＦＩＣＨ用ｍｉｎｉ−ＣＣＥとして使用し、ＬＰＨＩＣＨ≠１である場合に、ステップ９１３で選択されたｍｉｎｉ−ＣＣＥに基づいてＰＨＩＣＨ用ｍｉｎｉ−ＣＣＥを選択する。ステップ９１４の詳細な説明は、図２３及び図２４を参照して行われる。
【００８０】
ステップ９１５で、送信装置の過程は、ＰＨＩＣＨ変調シンボルをステップ９１４で選択されたＰＨＩＣＨ用ｍｉｎｉ−ＣＣＥにマッピングするか、又は受信装置の過程は、ＰＨＩＣＨ用ｍｉｎｉ−ＣＣＥからＰＨＩＣＨ変調シンボルをデマッピングする。
【００８１】
ステップ９１７で、ＰＣＦＩＣＨ用ｍｉｎｉ−ＣＣＥ及びＰＨＩＣＨ用ｍｉｎｉ−ＣＣＥを除いた残りのｍｉｎｉ−ＣＣＥをインデックスの順序で１次元再配列する。
【００８２】
ステップ９１９で、ＮＣＣＥ個のｍｉｎｉ−ＣＣＥを集めてＣＣＥを構成する。このような過程では、物理チャネルのリソースマッピング規則である等間隔リソース選択又は領域基盤リソース選択が使用されることができる。
【００８３】
最後に、ステップ９２１で、送信装置の過程は、ＰＤＣＣＨ変調シンボルをＣＣＥにマッピングするか、又は受信装置の過程は、ＰＤＣＣＨ変調シンボルをＣＣＥからデマッピングする。
【００８４】
図２１は、本発明で提案するリソースマッピングが適用された基地局（Ｎｏｄｅ Ｂ）の送信器の構成を示す。制御器９５３は、セル情報及びＰＨＩＣＨの個数に基づいて個別制御チャネルのマッピング規則を決定し、これに従う制御チャネル及びＲＳのリソースマッピングは、マッピング器９５５を用いて実行される。マッピング器９５５に対して、ＲＳ生成器９３１からのＲＳ、ＰＣＦＩＣＨ信号生成器９３３からのＰＣＦＩＣＨ変調信号、ＰＨＩＣＨ信号生成器９３５からのＰＨＩＣＨ変調信号、及びＰＤＣＣＨ信号生成器９４７からのＰＤＣＣＨ変調信号などが伝達される。ＰＨＩＣＨ信号生成器９３５において、４個のＰＨＩＣＨは、個別ＰＨＩＣＨ信号生成器９３９乃至９４７から集められて、ＣＤＭ９４３がなされる。参照符号９３７及び９４５は、それぞれＰＨＩＣＨ０〜３及びＰＨＩＣＨ４〜７の４個のＰＨＩＣＨ信号を生成するための信号生成器を示す。ＰＤＣＣＨ信号生成器９４７は、相互に異なる端末機に送信されるＰＤＣＣＨ信号を生成するための個別ＰＤＣＣＨ信号生成器９４９乃至９５１を含む。１つのＰＤＣＣＨが占有するＣＣＥの個数は、制御器９５３により決定される。制御チャネル及びＲＳがマッピングされた信号は、ＰＤＳＣＨ及びＲＳが多重化された信号９５７及び時間分割多重化器９５９によりＴＤＭ多重化された後に、送信処理装置９６１を介して送信される。
【００８５】
図２２は、本発明で提案するリソースマッピングが適用された端末機の受信器の構成を示す。送信器と同様に、制御器９９１は、セル情報、ＰＨＩＣＨの個数などに基づいて個別制御チャネルのデマッピング規則を決定し、それに従う制御チャネル及びＲＳのリソースデマッピングは、デマッピング器９７９を用いて実行される。まず、受信信号は、受信処理装置９７１を用いて基底帯域信号に変換され、時間分割逆多重化器９７３によりＴＤＭ逆多重化され、ＰＤＳＣＨ及びＰＤＳＣＨ領域のＲＳと制御チャネル及び制御チャネル領域のＲＳとに分離される。受信処理装置９７１が処理した信号について、ＲＳは、ＲＳデマッピング器９７７を用いてＰＤＳＣＨ及びＰＤＳＣＨ領域のＲＳから分離され、ＲＳだけがデマッピング器９７９を用いて制御チャネル及び制御チャネル領域のＲＳ信号から分離される（９８１）。ＲＳは、チャネル推定器９８３に提供されてチャネル推定を経験し、チャネル推定値は、ＰＤＳＣＨ受信器９９５、ＰＣＦＩＣＨ受信器９８５、ＰＨＩＣＨ受信器９８７、及びＰＤＣＣＨ受信器９８９に提供された後に、それぞれＰＤＳＣＨ信号、ＰＣＦＣＨ信号、ＰＨＩＣＨ信号、及びＰＤＣＣＨ信号を受信するために使用される。デマッピング器９７９は、ＰＣＦＩＣＨ変調シンボル列を区分し、その結果をＰＣＦＩＣＨ受信器９８５に提供し、ＰＣＦＩＣＨ受信器９８５は、対応するサブフレームでの制御チャネル領域のサイズＬを復元し、その情報は、制御器９９１に提供され、デマッピング器９７９がＰＨＩＣＨ及びＰＤＣＣＨ変調シンボル列を抽出するのに使用される。ＰＤＳＣＨデマッピング器９９３は、ＰＤＳＣＨ信号を抽出し、これをＰＤＳＣＨ受信器９９５に送信し、ＰＤＳＣＨ受信器９９５は、制御器９９１の制御の下で、ＰＤＣＣＨ受信器９８９を用いて復元されたデータチャネルの割り当て情報を用いてデータチャネルを復元する。
【００８６】
本発明で提案する制御チャネルのリソースマッピング規則が他の条件の下でどのように適用されるかを決定するために、幾つかの他の実施形態について説明する。図２３及び図２４は、ＬＰＨＩＣＨが１でない場合にＰＨＩＣＨのリソースマッピングがどのように実行されるかを示す。
【００８７】
図２３は、Ｎａｎｔ＝１又は２、Ｌ＝２、及びＬＰＨＩＣＨ＝２である場合における制御チャネルリソースマッピングの実施形態を示す。マルチキャストブロードキャスト単一周波数ネットワーク（ＭＢＳＦＮ）サブフレームは、単一周波数ネットワーク（ＳＦＮ）を動作させるためのサブフレームであり、サブフレームの先頭２個のＯＦＤＭシンボルが制御チャネルに固定され、残りのＯＦＤＭシンボルは、ＳＦＮ送信のために使用される。ＬＰＨＩＣＨ＝１である場合に、図１８の実施形態で説明したＰＨＩＣＨのリソースマッピングを適用することができる。ＬＰＨＩＣＨが１でない場合に、ＬＰＨＩＣＨ＝３であることが一般的であるが、特に、ＭＢＳＦＮサブフレームではＬ＝２であるため、ＬＰＨＩＣＨ＝２となる。ＬＰＨＩＣＨ＝３である場合に、ＬＰＨＩＣＨ＝２である際に３個のｍｉｎｉ−ＣＣＥをどのように選択するかを決定する規則を定義しなければならない。ＯＦＤＭシンボル間のリソース消費及び電力消費の均衡を合せるために、一部のＰＨＩＣＨは、１番目のＯＦＤＭシンボルから１個のｍｉｎｉ−ＣＣＥを選択し、２番目のＯＦＤＭシンボルから２個のｍｉｎｉ−ＣＣＥを選択することにより構成され（以下、“１＋２選択”）、一部のＰＨＩＣＨは、１番目のＯＦＤＭシンボルから２個のｍｉｎｉ−ＣＣＥを選択し、２番目のＯＦＤＭシンボルから１個のｍｉｎｉ−ＣＣＥを選択することにより構成する（以下、“２＋１選択”）。このようにＰＨＩＣＨ用ｍｉｎｉ−ＣＣＥを選択する場合に、図１８の実施形態について説明した規則とは異なる追加のマッピング規則が定義されなければならない。このような追加の規則は、図２０のステップ９１３及び９１４で説明した。
【００８８】
Ｎａｎｔ＝１又は２、Ｌ＝２である場合に、ｍｉｎｉ−ＣＣＥは、図１１に示すようにインデキシングされる。説明の便宜のために、図２３の実施形態では、制御リソースブロックの数が６個であると仮定し、したがって、総計３０個のｍｉｎｉ−ＣＣＥが定義される。３０個のｍｉｎｉ−ＣＣＥは、参照符号８２１で示すように、インデックスの順序で１次元再配列される。ＰＣＦＩＣＨは、１番目のＯＦＤＭシンボルのｍｉｎｉ−ＣＣＥに配置されなければならず、ＰＨＩＣＨ用ｍｉｎｉ−ＣＣＥを選択するための基準ｍｉｎｉ−ＣＣＥも１番目のＯＦＤＭシンボルのｍｉｎｉ−ＣＣＥの中から選択されなければならないため、ＰＣＦＩＣＨ用ｍｉｎｉ−ＣＣＥ及びＰＨＩＣＨ用ダミーｍｉｎｉ−ＣＣＥを選択するために、１番目のＯＦＤＭシンボルのｍｉｎｉ−ＣＣＥだけが選び出さなければならない。参照符号８２３は、このように１番目のＯＦＤＭシンボルのｍｉｎｉ−ＣＣＥだけを選び出したことを示す。３０個のｍｉｎｉ−ＣＣＥの中で、ｍｉｎｉ−ＣＣＥインデックスを５で割った際の余りが０又３となるｍｉｎｉ−ＣＣＥ＃０ ８５０、＃３ ８５１、＃５ ８５２、＃８ ８５３、＃１０ ８５４、＃１３ ８５５、＃１５ ８５６、＃１８ ８５７、＃２０ ８５８、＃２３ ８５９、＃２５ ８６０、及び＃２８ ８６１の１２個のｍｉｎｉ−ＣＣＥは、１番目のＯＦＤＭシンボルにすべて配置される。参照符号８２３で示すように、１番目のＯＦＤＭシンボルのｍｉｎｉ−ＣＣＥだけが選択され配列された状態で、まずＰＣＦＩＣＨ用ｍｉｎｉ−ＣＣＥを選択する。参照符号８２５は、ＰＣＦＩＣＨ用の４個のｍｉｎｉ−ＣＣＥ（ＮＰＣＦＩＣＨ＝４）として、ｍｉｎｉ−ＣＣＥ＃５ ８５２、ｍｉｎｉ−ＣＣＥ＃１３ ８５５、ｍｉｎｉ−ＣＣＥ＃２０ ８５８、及びｍｉｎｉ−ＣＣＥ＃２８ ８６１を選択したことを示す。ＰＣＦＩＣＨ用ｍｉｎｉ−ＣＣＥを選択する過程は、物理チャネルのリソースマッピング規則である等間隔リソース選択又は領域基盤リソース選択に従って実行される。参考にまで、ＭＢＳＦＮサブフレームでは、Ｌが２に固定されるため、ＰＣＦＩＣＨは、必要とされないこともある。ＬＴＥシステムでは、このような例外が定義されていないが、ＰＣＦＩＣＨがＭＢＳＦＮサブフレームに限って送信されない場合に、ＰＣＦＩＣＨ用ｍｉｎｉ−ＣＣＥ選択、すなわち、８２５及びこれと関連した図２０のステップ９０７及び９０９は、省略されてもよい。
【００８９】
ＰＨＩＣＨを構成するためには、まず、１番目のＯＦＤＭシンボルのｍｉｎｉ−ＣＣＥの中でＰＣＦＩＣＨ用に使用されないｍｉｎｉ−ＣＣＥの内で、最大に周波数軸上で相互に離れているｍｉｎｉ−ＣＣＥを選択すべきである。このように選択されたｍｉｎｉ−ＣＣＥがＰＨＩＣＨ用に直接使用されるのではなく、ＰＨＩＣＨ用ｍｉｎｉ−ＣＣＥを選択する基準として使用される。このようなｍｉｎｉ−ＣＣＥは、ＰＨＩＣＨマッピングのためのダミーｍｉｎｉ−ＣＣＥであると仮定する。参照符号８２７は、１番目のＯＦＤＭシンボルのｍｉｎｉ−ＣＣＥの中で、ＰＣＦＩＣＨ用に使用されないｍｉｎｉ−ＣＣＥが、インデックスの順序に再配列されることを示す。ＰＨＩＣＨマッピングのためのダミーｍｉｎｉ−ＣＣＥを選択する過程は、物理チャネルのリソースマッピング規則である等間隔リソース選択又は領域基盤リソース選択に従って行われる。ｍｉｎｉ−ＣＣＥ＃３ ８５１、ｍｉｎｉ−ＣＣＥ＃１５ ８５６、及びｍｉｎｉ−ＣＣＥ＃２５ ８６０は、ＰＨＩＣＨマッピングのためのダミーｍｉｎｉ−ＣＣＥとして選択される。ｍｉｎｉ−ＣＣＥ８５１、８５６、及び８６０のすべては、１番目のＯＦＤＭシンボルに配置される。参照符号８２９は、ＰＨＩＣＨ用に選択されたｍｉｎｉ−ＣＣＥを示す。ここで、ＰＨＩＣＨ０、１、２、及び３（８７３）は、ｍｉｎｉ−ＣＣＥ＃３ ８５１、ｍｉｎｉ−ＣＣＥ＃１６ ８６３、及びｍｉｎｉ−ＣＣＥ＃２６ ８６４の３個のｍｉｎｉ−ＣＣＥを選択することにより構成され（ＮＰＨＩＣＨ＝３）、ＰＨＩＣＨ４、５、６、及び７（８７５）は、ｍｉｎｉ−ＣＣＥ＃４ ８６２、ｍｉｎｉ−ＣＣＥ＃１５ ８５６、及びｍｉｎｉ−ＣＣＥ＃２５ ８６０の３個のｍｉｎｉ−ＣＣＥを選択することにより構成される（ＮＰＨＩＣＨ＝３）。
【００９０】
ＰＨＩＣＨ用ｍｉｎｉ−ＣＣＥを選択する過程を詳細に説明すると、ＰＨＩＣＨマッピングのためのダミーｍｉｎｉ−ＣＣＥの中で１番目のＯＦＤＭシンボルに配置されたｍｉｎｉ−ＣＣＥ＃３ ８５１は、ＰＨＩＣＨ０、１、２、及び３（８７３）をマッピングするために使用される。もしＰＨＩＣＨ０、１、２、及び３（８７３）が“１＋２選択”方式で構成される場合には、残りの２個のｍｉｎｉ−ＣＣＥは、２番目のＯＦＤＭシンボルから選択されなければならない。したがって、ＰＨＩＣＨマッピングのための残りのダミーｍｉｎｉ−ＣＣＥであるｍｉｎｉ−ＣＣＥ＃１５ ８５６及びｍｉｎｉ−ＣＣＥ＃２５ ８６０のインデックスを１増加させることにより得られたｍｉｎｉ−ＣＣＥ＃１６ ８６３及びｍｉｎｉ−ＣＣＥ＃２６ ８６４は、ＰＨＩＣＨ０、１、２、及び３（８７３）をマッピングするために使用される。上述したように、本発明で提案するｍｉｎｉ−ＣＣＥインデキシング規則によると、ｍｉｎｉ−ＣＣＥのインデックスを１増加させる場合に、同一の周波数帯域に配置されたｍｉｎｉ−ＣＣＥは、次のＯＦＤＭシンボルで示されることができる。１番目のＯＦＤＭシンボルから選択されたＰＨＩＣＨ用ダミーｍｉｎｉ−ＣＣＥが周波数軸上でできるだけ遠く離隔しているｍｉｎｉ−ＣＣＥとして選択されたので、ｍｉｎｉ−ＣＣＥのインデックスを増加させた後に選択された２番目のＯＦＤＭシンボルのｍｉｎｉ−ＣＣＥも周波数軸上で相互に遠く離隔していることを保証し、したがって、同一の周波数ダイバーシティ利得を得ることができる。他方、ＰＨＩＣＨマッピングのためのダミーｍｉｎｉ−ＣＣＥの中で、１番目のＯＦＤＭシンボルに配置されたｍｉｎｉ−ＣＣＥ＃１５ ８５６及びｍｉｎｉ−ＣＣＥ＃２５ ８６０は、ＰＨＩＣＨ４、５、６、及び７（８７５）をマッピングするために使用される。ＰＨＩＣＨ０、１、２、及び３（８７３）が“１＋２選択”方式で構成されるので、ＰＨＩＣＨ４、５、６、及び７（８７５）は、“２＋１選択”方式で構成される。これは、ＯＦＤＭシンボル間のリソース消費及び電力消費の均衡を合わせるためである。２個のｍｉｎｉ−ＣＣＥが１番目のＯＦＤＭシンボルから選択されるので、１個のｍｉｎｉ−ＣＣＥは、２番目のＯＦＤＭシンボルから選択される。このために、ＰＨＩＣＨ０、１、２、及び３（８７３）のために使用されたｍｉｎｉ−ＣＣＥ＃３ ８５１のインデックスを１増加させることにより得られたｍｉｎｉ−ＣＣＥ＃４ ８６２は、ＰＨＩＣＨ４、５、６、及び７（８７５）用ｍｉｎｉ−ＣＣＥとして選択される。したがって、ＰＨＩＣＨ０、１、２、及び３（８７３）は、ｍｉｎｉ−ＣＣＥ＃３ ８５１、ｍｉｎｉ−ＣＣＥ＃１６ ８６３、ｍｉｎｉ−ＣＣＥ＃２６ ８６４にマッピングされ、ＰＨＩＣＨ４、５、６、及び７（８７５）は、ｍｉｎｉ−ＣＣＥ＃４ ８６２、ｍｉｎｉ−ＣＣＥ＃１５ ８５６、及びｍｉｎｉ−ＣＣＥ＃２５ ８６０にマッピングされる。
【００９１】
要約すれば、ＰＨＩＣＨマッピングのためのダミーｍｉｎｉ−ＣＣＥ＃Ａ、＃Ｂ、及び＃Ｃが選択される場合に、ＰＨＩＣＨａ〜ａ＋３は、ｍｉｎｉ−ＣＣＥ＃Ａ、＃（Ｂ＋１）、及び＃（Ｃ＋１）にマッピングされ、ＰＨＩＣＨａ＋４〜ａ＋７は、ｍｉｎｉ−ＣＣＥ＃（Ａ＋１）、＃Ｂ、及び＃Ｃにマッピングされる。このようにして、ＰＨＩＣＨａ〜ａ＋３は、“１＋２選択”方式で構成され、ＰＨＩＣＨａ＋４〜ａ＋７は、“２＋１選択”方式で構成される。追加のＰＨＩＣＨが必要な場合には、ＰＨＩＣＨマッピングのためのｍｉｎｉ−ＣＣＥが、他のダミーｍｉｎｉ−ＣＣＥを選択し、同一の過程を反復することにより選択される。
【００９２】
他の方法で、ＰＨＩＣＨマッピングのためのダミーｍｉｎｉ−ＣＣＥ＃Ａ、＃Ｂ、及び＃Ｃが選択される場合に、ＰＨＩＣＨａ〜ａ＋３は、ｍｉｎｉ−ＣＣＥ＃Ａ、＃（Ｂ＋１）、及び＃Ｃにマッピングされ、ＰＨＩＣＨａ＋４〜ａ＋７は、ｍｉｎｉ−ＣＣＥ＃（Ａ＋１）、＃Ｂ、及び＃（Ｃ＋１）にマッピングされる。このようにして、ＰＨＩＣＨａ〜ａ＋３は、“２＋１選択”方式で構成され、ＰＨＩＣＨａ＋４〜ａ＋７は、“１＋２選択”方式で構成される。
【００９３】
参照符号８３１は、ＰＣＦＩＣＨ及びＰＨＩＣＨのために使用されたｍｉｎｉ−ＣＣＥを除いた２０個のｍｉｎｉ−ＣＣＥをインデックスの順序で再配列することを示す。本実施形態は、残りのｍｉｎｉ−ＣＣＥ８７７からＣＣＥを構成し、ＰＤＣＣＨをそれにマッピングする。
【００９４】
図２４は、Ｎａｎｔ＝４、Ｌ＝３、及びＬＰＨＩＣＨ＝３である場合における制御チャネルリソースマッピングの実施形態を示す。ＬＰＨＩＣＨ＝３であり、ＮＰＨＩＣＨ＝３である場合に、１つのｍｉｎｉ−ＣＣＥを各ＯＦＤＭシンボルから選択することによりＰＨＩＣＨを構成しなければならない。相互に異なるＯＦＤＭシンボルから選択されたｍｉｎｉ−ＣＣＥでも、周波数ダイバーシティ利得を得るために、最大に周波数軸上で相互に遠く離隔するように選択されなければならない。
【００９５】
Ｎａｎｔ＝４であり、Ｌ＝３である際に、ｍｉｎｉ−ＣＣＥは、図３に示すようにインデキシングされる。説明の便宜のために、図２４の実施形態では、制御リソースブロックの数が６個であると仮定し、これにより、総計４２個のｍｉｎｉ−ＣＣＥが定義されている。４２個のｍｉｎｉ−ＣＣＥがインデックスの順序に１次元再配列される場合に、その結果は、参照符号８２１で示される。ＰＣＦＩＣＨが１番目のＯＦＤＭシンボルのｍｉｎｉ−ＣＣＥに配列されなければならず、ＬＰＨＩＣＨ＝１である際にＰＨＩＣＨも１番目のＯＦＤＭシンボルのｍｉｎｉ−ＣＣＥに配置されなければならないので、本実施形態は、ＰＣＦＩＣＨ用ｍｉｎｉ−ＣＣＥ及びＰＨＩＣＨ用ｍｉｎｉ−ＣＣＥを選択するために、１番目のＯＦＤＭシンボルのｍｉｎｉ−ＣＣＥだけを選び出さなければならない。参照符号８２３は、このように１番目のＯＦＤＭシンボルのｍｉｎｉ−ＣＣＥだけ選び出したことを示す。４２個のｍｉｎｉ−ＣＣＥの中で、インデックスを７で割った際の余りが０又は４となる１２個のｍｉｎｉ−ＣＣＥ＃０ ８８０、＃４ ８８１、＃７ ８８２、＃１１ ８８３、＃１４ ８８４、＃１８ ８８５、＃２１ ８８６、＃２５ ８８７、＃２８ ８８８、＃３２ ８８９、＃３５ ８９０、及び＃３９ ８９１は、１番目のＯＦＤＭシンボルにすべて配置される。参照符号８２３で示すように、１番目のＯＦＤＭシンボルのｍｉｎｉ−ＣＣＥだけが選択され配列された状態で、まずＰＣＦＩＣＨ用ｍｉｎｉ−ＣＣＥを選択する。参照符号８２５は、ＰＣＦＩＣＨ用の４個のｍｉｎｉ−ＣＣＥ（ＮＰＣＦＩＣＨ＝４）として選択されたｍｉｎｉ−ＣＣＥ＃７ ８８２、ｍｉｎｉ−ＣＣＥ＃１８ ８８５、ｍｉｎｉ−ＣＣＥ＃２８ ８８８、及びｍｉｎｉ−ＣＣＥ＃３９ ８９１を示す。ＰＣＦＩＣＨ用ｍｉｎｉ−ＣＣＥを選択する過程は、物理チャネルのリソースマッピング規則である等間隔リソース選択又は領域基盤リソース選択に従って実行される。参考までに、ＬＰＨＩＣＨが３に固定されるので、制御チャネル送信のために先頭の３個のＯＦＤＭシンボルを使用せざるを得ない。したがって、ＣＣＦＩ情報が無意味であり、ＰＣＦＩＣＨが必要ないこともある。ＬＴＥシステムでは、このような例外が定義されていないが、ＰＣＦＩＣＨがＬＰＨＩＣＨ＝３のときに限って送信されない場合に、ＰＣＦＩＣＨ用ｍｉｎｉ−ＣＣＥ選択（８２５）及びこれと関連した図２０のステップ９０７及び９０９は、省略されてもよい。
【００９６】
ＰＨＩＣＨを構成するためには、１番目のＯＦＤＭシンボルのｍｉｎｉ−ＣＣＥの中でＰＣＦＩＣＨ用に使用されないｍｉｎｉ−ＣＣＥの内で、周波数軸上で相互に最大に離れているｍｉｎｉ−ＣＣＥをＰＨＩＣＨ用ダミーｍｉｎｉ−ＣＣＥとして選択すべきである。参照符号８２７は、１番目のＯＦＤＭシンボルのｍｉｎｉ−ＣＣＥの中で、ｍｉｎｉ−ＣＣＥのインデックスの順序に従って再配列されたＰＣＦＩＣＨ用に使用されないｍｉｎｉ−ＣＣＥを示す。ＰＨＩＣＨマッピングのためのダミーｍｉｎｉ−ＣＣＥを選択する過程は、物理チャネルのリソースマッピング規則である等間隔リソース選択又は領域基盤リソース選択に従って実行される。ｍｉｎｉ−ＣＣＥ＃４ ８８１、ｍｉｎｉ−ＣＣＥ＃２１ ８８６、ｍｉｎｉ−ＣＣＥ＃３５ ８９０は、ＰＨＩＣＨマッピングのためのダミーｍｉｎｉ−ＣＣＥとして選択され、ｍｉｎｉ−ＣＣＥ８８１、８８６、及び８９０のすべては、１番目のＯＦＤＭシンボルに配置される。参照符号８２９は、ＰＨＩＣＨ用に選択されたｍｉｎｉ−ＣＣＥを示す。ここで、ＰＨＩＣＨ０、１、２、及び３（１１０３）は、ｍｉｎｉ−ＣＣＥ＃４ ８８１、ｍｉｎｉ−ＣＣＥ＃２２ ８９３、及びｍｉｎｉ−ＣＣＥ＃３７ ８９４の３個のｍｉｎｉ−ＣＣＥを選択することにより構成され、ＰＨＩＣＨ４、５、６、及び７（１１０５）は、ｍｉｎｉ−ＣＣＥ＃５ ８９５、ｍｉｎｉ−ＣＣＥ＃２３ ８９６、及びｍｉｎｉ−ＣＣＥ＃３５ ８９０の３個のｍｉｎｉ−ＣＣＥを選択することにより構成される。
【００９７】
ＰＨＩＣＨ用ｍｉｎｉ−ＣＣＥを選択する過程を詳細に説明すると、ＰＨＩＣＨマッピングのためのダミーｍｉｎｉ−ＣＣＥの中で１番目のＯＦＤＭシンボルに配置されたｍｉｎｉ−ＣＣＥ＃４ ８８１は、ＰＨＩＣＨ０、１、２、及び３（１１０３）をマッピングするために使用される。２番目のＯＦＤＭシンボルから１つのｍｉｎｉ−ＣＣＥを選択するために、ＰＨＩＣＨマッピングのためのダミーｍｉｎｉ−ＣＣＥであるｍｉｎｉ−ＣＣＥ＃２１ ８８６のインデックスを１増加させることにより得られたｍｉｎｉ−ＣＣＥ＃２２ ８９３は、ＰＨＩＣＨ０、１、２、及び３（１１０３）をマッピングするために使用される。３番目のＯＦＤＭシンボルから１つのｍｉｎｉ−ＣＣＥを選択するために、ＰＨＩＣＨマッピングのためのダミーｍｉｎｉ−ＣＣＥであるｍｉｎｉ−ＣＣＥ＃３５ ８９０のインデックスを１増加させることにより得られたｍｉｎｉ−ＣＣＥ＃３７ ８９４は、ＰＨＩＣＨ０、１、２、３（１１０３）をマッピングするために使用される。したがって、ＰＨＩＣＨ０、１、２、及び３（１１０３）は、ｍｉｎｉ−ＣＣＥ＃４ ８８１、ｍｉｎｉ−ＣＣＥ＃２２ ８９３、ｍｉｎｉ−ＣＣＥ＃３７ ８９４の３個のｍｉｎｉ−ＣＣＥを選択することにより構成される。他方、ＰＨＩＣＨマッピングのためのダミーｍｉｎｉ−ＣＣＥの中で１番目のＯＦＤＭシンボルに配置されたｍｉｎｉ−ＣＣＥ＃３５ ８９０は、ＰＨＩＣＨ４、５、６、及び７（１１０５）をマッピングするために使用される。２番目のＯＦＤＭシンボルから１つのｍｉｎｉ−ＣＣＥを選択するために、ＰＨＩＣＨマッピングのためのダミーｍｉｎｉ−ＣＣＥであるｍｉｎｉ−ＣＣＥ＃４ ８８１のインデックスを１増加させることにより得られたｍｉｎｉ−ＣＣＥ＃５ ８９５は、ＰＨＩＣＨ４、５、６、及び７（１１０５）をマッピングするために使用される。また、３番目のＯＦＤＭシンボルから１つのｍｉｎｉ−ＣＣＥを選択するために、ＰＨＩＣＨマッピングのためのダミーｍｉｎｉ−ＣＣＥであるｍｉｎｉ−ＣＣＥ＃２１ ８８６のインデックスを２増加させることにより得られたｍｉｎｉ−ＣＣＥ＃２３ ８９６は、ＰＨＩＣＨ４、５、６、及び７（１１０５）をマッピングするために使用される。したがって、ＰＨＩＣＨ４、５、６、及び７（１１０５）は、ｍｉｎｉ−ＣＣＥ＃５ ８９５、ｍｉｎｉ−ＣＣＥ＃２３ ８９６、及びｍｉｎｉ−ＣＣＥ＃３５ ８９０の３個のｍｉｎｉ−ＣＣＥを選択することにより構成される。
【００９８】
要約すれば、ＰＨＩＣＨマッピングのためのダミーｍｉｎｉ−ＣＣＥ＃Ａ、＃Ｂ、及び＃Ｃが選択される場合に、ＰＨＩＣＨａ〜ａ＋３は、ｍｉｎｉ−ＣＣＥ＃Ａ、＃（Ｂ＋１）、及び＃（Ｃ＋２）にマッピングされ、ＰＨＩＣＨａ＋４〜ａ＋７は、ｍｉｎｉ−ＣＣＥ＃（Ａ＋１）、＃（Ｂ＋２）、及び＃Ｃにマッピングされ、ＰＨＩＣＨａ＋８〜ａ＋１１は、ｍｉｎｉ−ＣＣＥ＃（Ａ＋２）、＃Ｂ、及び＃（Ｃ＋１）にマッピングされる。このようにして、１つのｍｉｎｉ−ＣＣＥは、この選択されたｍｉｎｉ−ＣＣＥが周波数軸上で相互に遠く離れているように各ＯＦＤＭシンボル別に選択されることができる。追加のＰＨＩＣＨが必要とされる場合には、ＰＨＩＣＨマッピングのためのｍｉｎｉ−ＣＣＥが、他のダミーｍｉｎｉ−ＣＣＥを選択し、同一の過程を反復することにより選択される。
【００９９】
参照符号８３１は、ＰＣＦＩＣＨ及びＰＨＩＣＨのために使用されたｍｉｎｉ−ＣＣＥを除いたｍｉｎｉ−ＣＣＥのインデックスの順序に再配列された３２個のｍｉｎｉ−ＣＣＥを示す。本実施形態は、残りのｍｉｎｉ−ＣＣＥ１１０７からＣＣＥを構成し、ＰＤＣＣＨをそれにマッピングする。
【０１００】
任意のＬＰＨＩＣＨに従ってＰＨＩＣＨマッピング方法を数学的に表現することは、この方法の実現を容易にするのに役立つ。ＰＨＩＣＨマッピング方法を数学的に表現する方法については、次の通りに説明する。
【０１０１】
まず、ＰＨＩＣＨグループを定義しなければならない。添付図面を参照して上述したように、複数のＰＨＩＣＨは、ＣＤＭがなされた後に送信される。このように同一の物理リソースにＣＤＭされるＰＨＩＣＨの集合をＰＨＩＣＨグループとして定義する。４個のＰＨＩＣＨがＣＤＭがなされた後に送信される場合に、ＰＨＩＣＨ ａ、ＰＨＩＣＨ ａ＋１、ＰＨＩＣＨ ａ＋２、及びＰＨＩＣＨ ａ＋３は、１つのＰＨＩＣＨグループを構成する。追加で、実数成分及び虚数成分に相互に異なるＰＨＩＣＨを送信する同相／直角位相（Ｉ／Ｑ）多重化を適用する場合に、８個のＰＨＩＣＨは、ＣＤＭがなされ、ＰＨＩＣＨａ〜ＰＨＩＣＨａ＋７は、１つのＰＨＩＣＨグループを構成する。ＰＨＩＣＨグループインデックスｇは、与えられたＰＨＩＣＨがどのＰＨＩＣＨグループでＣＤＭされるかを示す値である。ＰＨＩＣＨインデックスがｐとして与えられると、ＰＨＩＣＨグループインデックスは、次の数式（４）を用いて計算されることができる。
【０１０２】
［数４］
ｇ＝ｆｌｏｏｒ（ｐ／ＰＨＩＣＨ＿ＧＲＯＵＰ＿ＳＩＺＥ） ・・・（４）
【０１０３】
ここで、ＰＨＩＣＨ＿ＧＲＯＵＰ＿ＳＩＺＥは、１つのＰＨＩＣＨグループに幾つのＰＨＩＣＨがＣＤＭされるかを示す値である。Ｉ／Ｑ多重化が適用される場合に、ＰＨＩＣＨ＿ＧＲＯＵＰ＿ＳＩＺＥは、８であり、そうでなければ、ＰＨＩＣＨ＿ＧＲＯＵＰ＿ＳＩＺＥは、４である。
【０１０４】
ＣＤＭされたＰＨＩＣＨグループを送信するためには、１つのｍｉｎｉ−ＣＣＥに対応する物理リソースで十分である。しかしながら、周波数ダイバーシティ利得を得るために、ＰＨＩＣＨグループは、周波数軸上でＮＰＨＩＣＨ回反復して送信される。すなわち、ＮＰＨＩＣＨ個のｍｉｎｉ−ＣＣＥが１つのＰＨＩＣＨグループを送信するのに使用される。ＮＰＨＩＣＨ＝３である場合に、ＰＨＩＣＨグループは、３個のｍｉｎｉ−ＣＣＥを用いて反復して送信される。受信インデックスは、１つのＰＨＩＣＨグループを送信するｍｉｎｉ−ＣＣＥをインデキシングすることにより定義され、受信インデックスｒは、０、１、．．．、ＮＰＨＩＣＨ−１の値を有する。
【０１０５】
ＰＨＩＣＨグループｇに属しているＰＨＩＣＨのマッピングのためにダミーｍｉｎｉ−ＣＣＥとして１番目のＯＦＤＭシンボルに配置された＃Ａ０（ｇ，０）、＃Ａ０（ｇ，１）、．．．、＃Ａ０（ｇ，ＮＰＨＩＣＨ−１）が選択される場合に、ＬＰＨＩＣＨ、ＰＨＩＣＨグループインデックスｇ、及び反復インデックスｒに従って実際にＰＨＩＣＨがマッピングされるｍｉｎｉ−ＣＣＥは、＃Ａ（ｇ，０）、＃Ａ（ｇ，１）、．．．、＃Ａ（ｇ，ＮＰＨＩＣＨ−１）であり、Ａ（ｇ，ｒ）は、数式（５）を用いて計算される。
【０１０６】
［数５］
Ａ（ｇ，ｒ）＝Ａ０（ｇ，ｒ）＋ｍｏｄ（ｇ＋ｒ，ＬＰＨＩＣＨ） ・・・（５）
【０１０７】
このようにして、ＰＨＩＣＨマッピング方法は、任意のＬＰＨＩＣＨに従って数学的に表現されることができる。例えば、ＬＰＨＩＣＨ＝１である場合に、＃Ａ０（ｇ，０）、＃Ａ０（ｇ，１）、．．．、＃Ａ０（ｇ，ＮＰＨＩＣＨ−１）は、ＰＨＩＣＨマッピング用ｍｉｎｉ−ＣＣＥとなる。この場合に、ｍｏｄ（ｇ＋ｒ，ＬＰＨＩＣＨ）がｇ及びｒの値に関係なく０となるので、所望の動作が実行される。また、ＬＰＨＩＣＨ＝２又は３である場合に、図２３及び図２４の動作は、同様に実行される。
【０１０８】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【図１】
2014078986.tif 000003
【図２】
2014078986.tif 000004
【図３】
2014078986.tif 000005
【図４】
2014078986.tif 000006
【図５】
2014078986.tif 000007
【図６】
2014078986.tif 000008
【図７】
2014078986.tif 000009
【図８】
2014078986.tif 000010
【図９】
2014078986.tif 000011
【図１０】
2014078986.tif 000012
【図１１】
2014078986.tif 000013
【図１２】
2014078986.tif 000014
【図１３】
2014078986.tif 000015
【図１４】
2014078986.tif 000016
【図１５】
2014078986.tif 000017
【図１６】
2014078986.tif 000018
【図１７】
2014078986.tif 000019
【図１８】
2014078986.tif 000020
【図１９】
2014078986.tif 000021
【図２０】
2014078986.tif 000022
【図２１】
2014078986.tif 000023
【図２２】
2014078986.tif 000024
【図２３】
2014078986.tif 000025
【図２４】
2014078986.tif 000026